(57)【要約】【課題】時間を単位とする販促ポイントを提供すると共に、その発行や消費に関する履歴データに基づく効果的な広告方法を提供する。【解決手段】サーバシステムが、時間ポイント管理ネットワーク・システムに用いられるサーバシステムが、ユーザとポイントと時間計測場所を管理するためのデータベースを備えると共に、ユーザと時間計測場所を認証するための認証処理プログラムと、ポイントの発行数と消費数を算出するためのポイント管理プログラムと、ポイントの発行履歴と消費履歴を管理するための履歴管理プログラムと、ポイントの発行条件と消費条件を管理するための条件管理プログラムを備えた時間ポイント管理システム及び、電子チェックを管理するためのデータベースを備えると共に、プログラムと該電子チェックの発行と消費に関する処理を行う電子チェック管理プログラムを備えた電子チェック管理システムによって構成される。【選択図】図１
2019215916.tif 000002
【特許請求の範囲】
【請求項１】
インターネット通信を用いたＷｅｂクライアント・サーバシステムによって、時間を単位とする電子的な販促ポイントを流通させるための時間ポイント管理ネットワーク・システムの制御方法として、
上記時間ポイント管理ネットワーク・システムに用いられるサーバシステムが、ユーザとポイントと時間計測場所を管理するためのデータベースを備えると共に、ユーザと時間計測場所を認証するための認証処理プログラムと、ポイントの発行数と消費数を算出するためのポイント管理プログラムと、ポイントの発行履歴と消費履歴を管理するための履歴管理プログラムと、ポイントの発行条件と消費条件を管理するための条件管理プログラムを備えた時間ポイント管理システム及び、電子チェックを管理するためのデータベースを備えると共に、プログラムと該電子チェックの発行と消費に関する処理を行う電子チェック管理プログラムを備えた電子チェック管理システムによって構成されるサーバシステムであって、
また、上記時間ポイント管理ネットワーク・システムに用いられるクライアント装置が、位置情報を取得する機能を備え、該位置情報に従って特定区画を識別すると共に、該特定区画内における所定の経過時間を計測する計測プログラムとによって構成される専用アプリがインストールされた汎用のコンピュータ機能を有するクライアント装置であって、
上記時間管理システムと上記クライアント装置とのインターネット通信によって、
（ａ）上記ユーザの上記特定区画における所定の経過時間が、上記専用アプリによって上記クライアント装置の位置が検知されながら計測される時間計測過程と、
（ｂ）上記計測された時間と同じ単位のポイントが、上記時間ポイント管理システムによって所定の発行条件に基づき発行されるポイント発行過程と、
（ｃ）上記発行された時間と同じ単位のポイントが、上記時間ポイント管理システムによって所定の消費条件に基づき消費されるポイント消費過程を含み、
上記ポイント消費過程が、上記電子チェック管理システムと上記クライアント装置とのインターネット通信によって、時間の単位と貨幣の単位との交換レートに基づき電子チェックによって買い取られることによって消費されることを特徴とする、
時間ポイント流通管理ネットワーク・システムの制御方法。
【請求項２】
前記クライアント装置が備える位置情報を取得する機能が電波検知機能であって、また、前記専用アプリを構成する計測プログラムが受信計測プログラムであって、前記ユーザの前記特定区画における所定の経過時間が、前記専用アプリによって、加盟店に設置された位置通知装置から発信される電波が該電波検知機能によって検知されながら計測されることを特徴とする、請求項１に記載の時間ポイント管理ネットワーク・システムの制御方法。
【請求項３】
前記クライアント装置が備える位置情報を取得する機能がＧＰＳ機能であって、また、前記専用アプリを構成する計測プログラムが位置計測プログラムであって、前記ユーザの前記特定区画における所定の経過時間が、前記専用アプリによって、該ＧＰＳ機能に基づく現在位置の測位データが取得されながら計測されることを特徴とする、請求項１に記載の時間ポイント管理ネットワーク・システムの制御方法。
【請求項４】
前記請求項１〜請求項３のいずれか１項に記載の時間ポイント流通管理ネットワーク・システムの制御方法であって、更に、前記ユーザの加盟店との取引が前記電子チェックによる決済処理によって行われる取引であって、
上記電子チェックによる決済処理が、上記電子チェック管理システムと上記クライアント装置とのインターネット通信を介し、前記クライアント装置による位置検知機能によって行われる決済処理であることを特徴とする、
時間ポイント流通管理ネットワーク・システムの制御方法。
【発明の詳細な説明】
【技術分野】
【０００１】
本発明は、ネットワークを介して販促ポイントを流通させる技術に関する。
【背景技術】
【０００２】
近年、インターネット基盤が拡充されると共に、携帯端末（スマートフォンやタブレットなど）の性能が急速に進化し、その様な携帯端末用に様々なアプリが、周知のＨＴＭＬ言語とＪａｖａＳｃｒｉｐｔやＰＨＰ、Ｐｅｒｌ、Ｊａｖａ、ＣやＣ++などのプログラム言語によって開発される中、ポイントサービスの事業者などによって、販促ポイント管理用の専用アプリなども配信され始めている。
【０００３】
この様な専用アプリは、インターネットを介し、ユーザ自身によってスマートフォン（携帯電話）などにインストールされ、販促ポイントを発行する商店や商店街などが、コストの掛かるポイント発行装置を設置したり、会員カードを発行することなく、販促ポイントをユーザに提供できたり、ユーザが、販促ポイントの残高や発行店のイベント情報などをいつでも確認できる様になり、この様な専用アプリを備えたスマートフォンなどを介して、販促ポイントが多店舗間で利用できる、販促ポイントの流通化が拡大している。
【０００４】
一方、この様な販促ポイントの流通には、常に、その発行元と消費先との間において、販促ポイントの発行と消費に伴う金銭的な精算処理が必要になり、その処理には膨大なシステムとコストが必要となることは言うまでもなく、事実、この様なポイント交換（流通）は大資本によって運営されており、小資本の商店や商店街などは、その利用のために比較的高いコストを支払っている。
【０００５】
本来、販促ポイントは、小規模な商店や商店街などが発行主体となって、自店における販売促進の有効な手段として発展してきたが、インターネットの拡充と端末技術の進化によって電子化されながら、いつの間にか、その発行主体の意志に関係なく流通し始め、大資本によるポイントサービス運営企業の収益ツールに変化しつつある。
【０００６】
社会の高齢化や少子化に伴い地域経済が疲弊する中、小資本の商店や商店街などが急激に衰退し始め、地域における買い物弱者の増加が際立っているが、この様な商店や商店街は地域生活者に密着しており、特に、可処分余暇時間が多い高齢者のコミュニティ拠点としても期待されているところ、その存在力を強化するための施策（技術）が必要となっている。
【発明の概要】
【発明が解決しようとする課題】
【０００７】
本発明は、上述の課題を解決するものであり、その目的は、生活者に密着した商店や商店街などにおいて、「時間」に関する所定の条件で発行または消費される販促ポイントが、該生活者（ユーザ）の時間に対する価値観に応じて交換（流通）されることによって、各店における商材やサービスの充足性が相互補完されるところにあり、生活者の消費行為によって発行される割引目的のポイントにコスト負担を強いられている小資本、小規模の商店や商店街などに、販促の本来的意義が発揮される時間を単位とする販促ポイントを提供すると共に、その発行や消費に関する履歴データに基づく効果的な広告方法を提供することにある。
【課題を解決するための手段】
【０００８】
本発明は、インターネット通信を用いたＷｅｂクライアント・サーバシステムによって、時間を単位とする電子的な販促ポイントを流通させるための時間ポイント管理ネットワーク・システムの制御方法として、上記時間ポイント管理ネットワーク・システムに用いられるサーバシステムが、ユーザとポイントと時間計測場所を管理するためのデータベースを備えると共に、ユーザと時間計測場所を認証するための認証処理プログラムと、ポイントの発行数と消費数を算出するためのポイント管理プログラムと、ポイントの発行履歴と消費履歴を管理するための履歴管理プログラムと、ポイントの発行条件と消費条件を管理するための条件管理プログラムを備えた時間ポイント管理システム及び、電子チェック（電子式前払い証票）を管理するためのデータベースを備えると共に、プログラムと該電子チェックの発行と消費に関する処理を行う電子チェック管理プログラムを備えた電子チェック管理システムによって構成されるサーバシステムであって、
また、上記時間ポイント管理ネットワーク・システムに用いられるクライアント装置が、位置情報を取得する機能を備え、該位置情報に従って特定区画を識別すると共に、該特定区画内における所定の経過時間を計測する計測プログラムとによって構成される専用アプリがインストールされた汎用のコンピュータ機能を有するクライアント装置であって、
上記時間管理システムと上記クライアント装置とのインターネット通信によって、
（ａ）上記ユーザの上記特定区画における所定の経過時間が、上記専用アプリによって上記クライアント装置の位置が検知されながら計測される時間計測過程と、
（ｂ）上記計測された時間と同じ単位のポイントが、上記時間ポイント管理システムによって所定の発行条件に基づき発行されるポイント発行過程と、
（ｃ）上記発行された時間と同じ単位のポイントが、上記時間ポイント管理システムによって所定の消費条件に基づき消費されるポイント消費過程を含み、
上記ポイント消費過程が、上記電子チェック管理システムと上記クライアント装置とのインターネット通信によって、時間の単位と貨幣の単位との交換レートに基づき電子チェックによって買い取られることによって消費されることを特徴とする、時間ポイント流通管理ネットワーク・システムの制御方法を提供する。
【０００９】
上記において、前記クライアント装置が備える位置情報を取得する機能が電波検知機能であって、また、前記専用アプリを構成する計測プログラムが受信計測プログラムであって、前記ユーザの前記特定区画における所定の経過時間が、前記専用アプリによって、加盟店に設置された位置通知装置から発信される電波が該電波検知機能によって検知されながら計測されることを特徴とする。
上記において、前記クライアント装置が備える位置情報を取得する機能がＧＰＳ機能であって、また、前記専用アプリを構成する計測プログラムが位置計測プログラムであって、前記ユーザの前記特定区画における所定の経過時間が、前記専用アプリによって、該ＧＰＳ機能に基づく現在位置の測位データが取得されながら計測されることを特徴とする。
【００１０】
上記時間ポイント流通管理ネットワーク・システムの制御方法であって、更に、前記ユーザの加盟店との取引が前記電子チェックによる決済処理によって行われる取引であって、上記電子チェックによる決済処理が、上記電子チェック管理システムと上記クライアント装置とのインターネット通信を介し、前記クライアント装置による位置検知機能によって行われる決済処理であることを特徴とする。
【００１１】
また、前記クライアント装置が、Ｗｅｂブラウザを備えた汎用のＰＣであって、また、前記時間計測拠点が、Ｗｅｂシステムによるネットサービスを行う加盟店であって、該クライアント装置と該時間計測拠点のＷｅｂサーバシステムと前記時間ポイント流通管理ネットワーク・システムがインターネットを介したＷｅｂネットワークによって接続されることにより、前記専用アプリと位置検知機能による時間計測拠点の検知と該検知に基づき計測される時間が、該Ｗｅｂ−ＡＰＩによって取得されるＷｅｂ−ＡＰＩコードに基づき計測される時間であることを特徴とする。
【００１２】
また、前記スポンサの前記ユーザに対する時間ポイント買価の支払いが該電子チェックによって行われることを特徴とする。
【００１３】
また、前記ユーザと前記加盟店との取引が前記電子チェックによる決済であって、該電子チェックによる決済が、前記クライアント装置による位置検知機能によって開始される、前記電子チェック管理システムと前記クライアント装置とのインターネット通信によって行われる決済処理であることを特徴とする。
【００１４】
本発明の時間ポイント流通管理ネットワーク・システムの制御方法は、クライアント装置を用いて、時間を単位とする販促ポイントを流通させるための時間ポイント流通管理ネットワーク・システムの制御方法として、上記時間ポイント流通管理ネットワーク・システムに用いられるクライアント装置が、時間計測拠点を検知しながら時間計測を行う受信計測プログラムと、時間ポイントの発行数を算出するポイント発行プログラムと、時間ポイントの消費数を算出するポイント消費プログラムからなる専用アプリがインストールされた、位置検知機能とコンピュータ機能を有するクライアント装置であって、
（ａ）ユーザに対して、時間ポイントが発行される加盟店における該時間ポイントの発行条件または時間ポイントを買い取るスポンサにおける該時間ポイントの消費条件の提供を受ける過程と、
（ｂ）上記ユーザの上記加盟店における所定の経過時間に対して、上記発行条件に基づく時間ポイントの発行を受ける過程と、
（ｃ）該ユーザが保有する時間ポイントに関する情報の提供を受ける過程を含み、
上記ユーザの上記加盟店における所定の経過時間が、上記専用アプリによって該加盟店における上記クライアント装置の位置を検知しながら計測される時間であって、該加盟店の上記発行条件が、該専用アプリによって計測された時間の単位と同じ単位に基づく発行数の時間ポイントが発行される条件であって、また、上記ユーザの上記スポンサにおける所定の経過時間が、該スポンサの広告コンテンツが再生される広告再生プログラムに対する広告視聴操作によって計測される時間であって、該スポンサの上記消費条件が、該広告視聴操作によって計測される時間の単位と同じ単位に基づく消費数の時間ポイントが消費される条件であって、更に、該スポンサの該消費条件に基づき消費される該ユーザの時間ポイントが、該スポンサによって設定された時間ポイント買価によって買い取られることを特徴とする。
【００１５】
また、前記クライアント装置が、電波検知器を備えた前記クライアント装置であって、前記位置検知機能が、該クライアント装置の該電波検知器によって該クライアント装置の位置が検知される位置検知機能であることを特徴とする。
【００１６】
また、前記クライアント装置が、ＧＰＳ受信機を備えた前記クライアント装置であって、前記位置検知機能が、該クライアント装置の該ＧＰＳ受信機によって該クライアント装置の位置が検知される位置検知機能であることを特徴とする。
【００１７】
また、前記クライアント装置が、Ｗｅｂブラウザを備えた汎用のＰＣであって、また、前記時間計測拠点が、Ｗｅｂサービスシステムを運営するネット系サービス企業のＷｅｂサーバシステムであって、該クライアント装置と該時間計測拠点のＷｅｂサーバシステムと前記時間ポイント流通管理ネットワーク・システムがインターネットを介したＷｅｂネットワークによって接続されることにより、前記専用アプリと位置検知機能による時間計測拠点の検知と該検知に基づき計測される時間が、該Ｗｅｂ−ＡＰＩによって取得されるＷｅｂ−ＡＰＩコードに基づき計測される時間であることを特徴とする。
【００１８】
また、前記ポイント流通管理ネットワーク・システムのサーバシステムが、電子チェック（電子式前払い証票）を管理するためのデータベースを備え、前記認証処理プログラムと該電子チェックの発行または消費に関する処理を行う電子チェック管理プログラムからなる電子チェック管理システムが付加された構成のサーバシステムであって、前記スポンサの前記ユーザに対する時間ポイント買価の支払いが該電子チェックによって行われることを特徴とする。
【００１９】
また、前記ユーザと前記加盟店との取引が前記電子チェックによる決済であって、該電子チェックによる決済が、前記クライアント装置による位置検知機能によって開始される、前記電子チェック管理システムと前記クライアント装置とのインターネット通信によって行われる決済処理であることを特徴とする。
【００２０】
本発明の時間ポイント流通管理ネットワーク・システムの制御方法は、サーバシステムを用いて、時間を単位とする販促ポイントを流通させるための時間ポイント流通管理ネットワーク・システムの制御方法として、上記時間ポイント流通管理ネットワーク・システムに用いられるサーバシステムが、ユーザと時間ポイントと時間計測拠点を管理するためのデータベースを備え、該ユーザと該時間計測拠点の認証を行う認証処理プログラムと、該時間ポイントの発行または消費に関する処理を行うポイント管理プログラムと、該時間ポイントの発行または消費に関する条件を管理する条件管理プログラムからなる時間管理システム及び、スポンサと広告コンテンツを管理するためのデータベースを備え、該スポンサの認証を行う該認証処理プログラムと、該広告コンテンツの登録や配信及び該広告コンテンツの視聴を管理する広告視聴管理プログラムからなる広告管理システムによって構成されるサーバシステムであって、
（ａ）上記ユーザに対して、時間ポイントが発行される加盟店における該時間ポイントの発行条件または時間ポイントを買い取るスポンサにおける該時間ポイントの消費条件を提供する過程と、
（ｂ）上記ユーザの上記加盟店における所定の経過時間に対して、上記発行条件に基づく時間ポイントを発行する過程と、
（ｃ）上記ユーザの上記スポンサにおける所定の経過時間に対して、上記消費条件に基づく時間ポイントの消費を受け付ける過程と、
（ｄ）上記時間ポイントの発行または消費に関する処理、または、該発行履歴または該消費履歴を管理する過程と、
（ｅ）上記ユーザに対し、該ユーザが保有する時間ポイントに関する情報を提供する過程を含み、
上記ユーザの上記加盟店における所定の経過時間が、クライアント装置の専用アプリによって該加盟店における上記クライアント装置の位置を検知しながら計測される時間であって、該加盟店の上記発行条件が、該専用アプリによって計測された時間の単位と同じ単位に基づく発行数の時間ポイントが発行される条件であって、また、上記ユーザの上記スポンサにおける所定の経過時間が、該スポンサの広告コンテンツが再生される広告再生プログラムに対する広告視聴操作によって計測される時間であって、該スポンサの上記消費条件が、該広告視聴操作によって計測される時間の単位と同じ単位に基づく消費数の時間ポイントが消費される条件であって、更に、該スポンサの該消費条件に基づき消費される該ユーザの時間ポイントが、該スポンサによって設定された時間ポイント買価によって買い取られることを特徴とする。
【００２１】
また、前記ポイント流通管理ネットワーク・システムのサーバシステムが、更に、電子チェック（電子式前払い証票）を管理するためのデータベースを備え、前記認証処理プログラムと該電子チェックの発行または消費に関する処理を行う電子チェック管理プログラムからなる電子チェック管理システムが付加された構成のサーバシステムであって、前記スポンサの前記ユーザに対する時間ポイント買価の支払いが該電子チェックによって行われることを特徴とする。
【００２２】
また、前記ユーザと前記加盟店との取引が前記電子チェックによる決済であって、該電子チェックによる決済が、前記クライアント装置による位置検知機能によって開始される、前記電子チェック管理システムと前記クライアント装置とのインターネット通信によって行われる決済処理であることを特徴とする。
【００２３】
本発明の時間ポイント発行方法は、インターネット通信を用いたＷｅｂクライアント・サーバシステムによって、時間を単位とする販促ポイントを流通させるための時間ポイント発行方法として、上記時間ポイント流通管理ネットワーク・システムに用いられるサーバシステムが、ユーザと時間ポイントと時間計測拠点を管理するためのデータベースを備え、該ユーザと該時間計測拠点の認証を行う認証処理プログラムと、該時間ポイントの発行に関する処理を行うポイント管理プログラムと、該時間ポイントの発行に関する条件を管理する条件管理プログラムからなる時間管理システム及び、スポンサと広告コンテンツを管理するためのデータベースを備え、該スポンサの認証を行う該認証処理プログラムと、該広告コンテンツの登録や配信及び該広告コンテンツの視聴を管理する広告視聴管理プログラムからなる広告管理システムによって構成されるサーバシステムであって、また、上記時間ポイント流通管理ネットワーク・システムに用いられるクライアント装置が、時間計測拠点を検知しながら時間計測を行う受信計測プログラムと、時間ポイントの発行数を算出するポイント発行プログラムからなる専用アプリがインストールされた、位置検知機能とコンピュータ機能を有するクライアント装置であって、
上記時間管理システムと上記クライアント装置とのインターネット通信によって、
（ａ）上記ユーザに対して、時間ポイントが発行される加盟店における該時間ポイントの発行条件が提供される過程と、
（ｂ）上記ユーザの上記加盟店における所定の経過時間に対して、上記発行条件に基づく時間ポイントが発行される過程と、
（ｃ）上記時間ポイントの発行に関する処理、または、該発行履歴が管理される過程と、
（ｄ）上記ユーザに対し、該ユーザが保有する時間ポイントに関する情報が提供される過程を含み、
上記ユーザの上記加盟店における所定の経過時間が、上記専用アプリによって該加盟店における上記クライアント装置の位置を検知しながら計測される時間であって、該加盟店の上記発行条件が、該専用アプリによって計測された時間の単位と同じ単位に基づく発行数の時間ポイントが発行される条件であることを特徴とする。
【００２４】
また、前記クライアント装置が、電波検知器を備えた前記クライアント装置であって、前記位置検知機能が、該クライアント装置の該電波検知器によって該クライアント装置の位置が検知される位置検知機能であることを特徴とする。
【００２５】
また、前記クライアント装置が、ＧＰＳ受信機を備えた前記クライアント装置であって、前記位置検知機能が、該クライアント装置の該ＧＰＳ受信機によって該クライアント装置の位置が検知される位置検知機能であることを特徴とする。
【００２６】
また、前記クライアント装置が、Ｗｅｂブラウザを備えた汎用のＰＣであって、また、前記時間計測拠点が、Ｗｅｂサービスシステムを運営するネット系サービス企業のＷｅｂサーバシステムであって、該クライアント装置と該時間計測拠点のＷｅｂサーバシステムと前記時間ポイント流通管理ネットワーク・システムがインターネットを介したＷｅｂネットワークによって接続されることにより、前記専用アプリと位置検知機能による時間計測拠点の検知と該検知に基づき計測される時間が、該Ｗｅｂ−ＡＰＩによって取得されるＷｅｂ−ＡＰＩコードに基づき計測される時間であることを特徴とする。
【００２７】
また、前記ポイント流通管理ネットワーク・システムのサーバシステムが、更に、電子チェック（電子式前払い証票）を管理するためのデータベースを備え、前記認証処理プログラムと該電子チェックの発行または消費に関する処理を行う電子チェック管理プログラムからなる電子チェック管理システムが付加された構成のサーバシステムであって、前記スポンサの前記ユーザに対する時間ポイント買価の支払いが該電子チェックによって行われることを特徴とする。
【００２８】
また、前記ユーザと前記加盟店との取引が前記電子チェックによる決済であって、該電子チェックによる決済が、前記クライアント装置による位置検知機能によって開始される、前記電子チェック管理システムと前記クライアント装置とのインターネット通信によって行われる決済処理であることを特徴とする。
【００２９】
本発明の時間ポイント消費方法は、インターネット通信を用いたＷｅｂクライアント・サーバシステムによって、時間を単位とする販促ポイントを流通させるための時間ポイント消費方法として、上記時間ポイント流通管理ネットワーク・システムに用いられるサーバシステムが、ユーザと時間ポイントと時間計測拠点を管理するためのデータベースを備え、該ユーザと該時間計測拠点の認証を行う認証処理プログラムと、該時間ポイントの消費に関する処理を行うポイント管理プログラムと、該時間ポイントの消費に関する条件を管理する条件管理プログラムからなる時間管理システム及び、スポンサと広告コンテンツを管理するためのデータベースを備え、該スポンサの認証を行う該認証処理プログラムと、該広告コンテンツの登録や配信及び該広告コンテンツの視聴を管理する広告視聴管理プログラムからなる広告管理システムによって構成されるサーバシステムであって、また、上記時間ポイント流通管理ネットワーク・システムに用いられるクライアント装置が、時間計測拠点を検知しながら時間計測を行う受信計測プログラムと、時間ポイントの消費数を算出するポイント消費プログラムからなる専用アプリがインストールされた、位置検知機能とコンピュータ機能を有するクライアント装置であって、
上記時間管理システムと上記クライアント装置とのインターネット通信によって、
（ａ）上記ユーザに対して、時間ポイントを買い取るスポンサにおける該時間ポイントの消費条件が提供される過程と、
（ｂ）上記ユーザの上記スポンサにおける所定の経過時間に対して、上記消費条件に基づく時間ポイントの消費が受け付けられる過程と、
（ｃ）上記時間ポイントの消費に関する処理、または、該消費履歴が管理される過程と、
（ｄ）上記ユーザに対し、該ユーザが保有する時間ポイントに関する情報が提供される過程を含み、
上記ユーザの上記スポンサにおける所定の経過時間が、該スポンサの広告コンテンツが再生される広告再生プログラムに対する広告視聴操作によって計測される時間であって、該スポンサの上記消費条件が、該広告視聴操作によって計測される時間の単位と同じ単位に基づく消費数の時間ポイントが消費される条件であって、更に、該スポンサの該消費条件に基づき消費される該ユーザの時間ポイントが、該スポンサによって設定された時間ポイント買価によって買い取られることを特徴とする。
【００３０】
また、前記クライアント装置が、電波検知器を備えた前記クライアント装置であって、前記位置検知機能が、該クライアント装置の該電波検知器によって該クライアント装置の位置が検知される位置検知機能であることを特徴とする。
【００３１】
また、前記クライアント装置が、ＧＰＳ受信機を備えた前記クライアント装置であって、前記位置検知機能が、該クライアント装置の該ＧＰＳ受信機によって該クライアント装置の位置が検知される位置検知機能であることを特徴とする。
【００３２】
また、前記クライアント装置が、Ｗｅｂブラウザを備えた汎用のＰＣであって、また、前記時間計測拠点が、Ｗｅｂサービスシステムを運営するネット系サービス企業のＷｅｂサーバシステムであって、該クライアント装置と該時間計測拠点のＷｅｂサーバシステムと前記時間ポイント流通管理ネットワーク・システムがインターネットを介したＷｅｂネットワークによって接続されることにより、前記専用アプリと位置検知機能による時間計測拠点の検知と該検知に基づき計測される時間が、該Ｗｅｂ−ＡＰＩによって取得されるＷｅｂ−ＡＰＩコードに基づき計測される時間であることを特徴とする。
【００３３】
また、前記ポイント流通管理ネットワーク・システムのサーバシステムが、更に、電子チェック（電子式前払い証票）を管理するためのデータベースを備え、前記認証処理プログラムと該電子チェックの発行または消費に関する処理を行う電子チェック管理プログラムからなる電子チェック管理システムが付加された構成のサーバシステムであって、前記スポンサの前記ユーザに対する時間ポイント買価の支払いが該電子チェックによって行われることを特徴とする。
【００３４】
また、前記ユーザと前記加盟店との取引が前記電子チェックによる決済であって、該電子チェックによる決済が、前記クライアント装置による位置検知機能によって開始される、前記電子チェック管理システムと前記クライアント装置とのインターネット通信によって行われる決済処理であることを特徴とする。
【図面の簡単な説明】
【００３５】
【図１】実施例１に関する概要図を示す。
【図２】ユーザによる所定の発行操作を示す。
【図３】ユーザによる所定の消費操作を示す。
【図４】ユーザ登録に関する概要図を示す。
【図５】「加盟店案内ガイド」の登録及び提供に関する概要図を示す。
【図６】「提携店利用ガイド」の登録及び提供に関する概要図を示す。
【図７】ＧＰＳ機能を用いた時間計測に関する構成図を示す。
【図８】Ｗｅｂ−ＡＰＩに関する資料（Ｇｏｏｇｌｅ社）を示す。
【図９】実施例２に関する概要図（ネットショップ）を示す。
【図１０−１】実施例２に関する概要図（ネット広告）を示す。
【図１０−２】実施例２に関する概要図（ネット広告）の部分拡大図を示す。
【図１１】実施例３に関する概要図を示す。（代表図）
【図１２】「広告視聴ガイド」の登録及び提供に関する概要図を示す。
【図１３】「ターゲティングガイド」のＷｅｂサービスに関する概要図を示す。
【図１４】電子チェックの発行及び使用に関する概要図を示す。
【図１５】ユーザ管理データベース  レコードレイアウトを示す。
【図１６】加盟店管理データベース  レコードレイアウトを示す。
【図１７】提携店管理データベース  レコードレイアウトを示す。
【図１８】加盟店ガイドデータベース  レコードレイアウトを示す。
【図１９】提携店ガイドデータベース  レコードレイアウトを示す。
【図２０】位置通知装置データベース  レコードレイアウトを示す。
【図２１】ポイント管理データベース  レコードレイアウトを示す。
【図２２】スポンサ管理データベース  レコードレイアウトを示す。
【図２３】コンテンツ管理データベース  レコードレイアウトを示す。
【図２４】電子チェック管理データベース  レコードレイアウトを示す。
【発明を実施するための形態】
【００３６】
［発明の概略]
本発明は、ネットワークを介して販促ポイントを流通させる技術を前提とするものであり、その実施例１は、該販促ポイントが特定場所における所定時間を計測して発行または消費される時間ポイントであることを特徴とする。
【００３７】
先ず、ユーザによる所定の発行操作に対して、設定されている時間計測条件に基づき時間が計測される。
【００３８】
具体的には、例えば、ユーザが、販促ポイントの発行に関する情報を管理する専用アプリがインストールされたＢｌｕｅｔｏｏｔｈ電波を検知する機能を備えたスマートフォン（携帯電話）やタブレットＰＣなどのクライアント装置を所持して特定の店舗や施設などを訪れると、該クライアント装置によって、該店舗や施設などに設置された位置通知装置から発信されるＢｌｕｅｔｏｏｔｈ電波が検知され、（１）該ユーザの来店時から退店時までの間の時間、または（２）特定のサービスや商品を注文してから該サービスや商品が該ユーザに提供されるまでの間の時間、或いは、（３）通常の所要時間を超過した時間などが計測され、該計測された時間に関する時間計測データが、インターネットを介して、該クライアント装置からポイント管理センターの時間管理システムに送信され、該送信された時間計測データに基づく所定の発行条件によって時間ポイントが発行される。
【００３９】
なお、上記時間ポイントの発行条件には、ユーザ属性（利用者ＩＤと結合した個人情報などによる）や該時間ポイントの有効期限、発行場所（位置通知装置の識別情報による）などが含まれても良い。
【００４０】
次に、ユーザによる所定の消費操作に対して、設定されている時間計測条件に基づき時間が計測される。
【００４１】
具体的には、例えば、ユーザが、販促ポイントの消費に関する情報を管理する専用アプリがインストールされたＢｌｕｅｔｏｏｔｈ電波を検知する機能を備えたスマートフォン（携帯電話）やタブレットＰＣなどのクライアント装置を所持して特定の店舗や施設などを訪れると、該クライアント装置によって、該店舗や施設などに設置された位置通知装置から発信されるＢｌｕｅｔｏｏｔｈ電波が検知され、（１）該ユーザの来店時から退店時までの間の時間、または（２）特定のサービスが開始されてから該サービスが終了するまでの間の時間、或いは、（３）通常のサービス時間を超過した時間などが計測され、該計測された時間に関する時間計測データが、インターネットを介して、該クライアント装置からポイント管理センターの時間管理システムに送信され、該送信された時間計測データに基づく所定の消費条件によって時間ポイントが消費される。
【００４２】
なお、上記時間ポイントの消費条件には、ユーザ属性（利用者ＩＤと結合させた個人情報による）や該時間ポイントの有効期限、その発行場所（位置通知装置の識別情報による）などが含まれる場合がある。
【００４３】
また、ユーザには、該ユーザが保有する時間ポイントに関する情報（ポイント残高、有効期限、交換レート等）が、時間ポイント情報として供給される。
【００４４】
そして、上記ユーザによる所定の発行操作及び消費操作により上記クライアント装置から上記時間管理システムに送信された各時間計測データに基づく所定の発行条件によって発行された時間ポイント及び所定の消費条件によって消費された時間ポイントは、それぞれ、時間ポイント発行履歴データ及び時間ポイント消費履歴データとして、データベース管理サーバ装置によって、ポイント管理データベースに記録される。
【００４５】
ここで、上記ユーザによる所定の発行操作によって発行された時間ポイントと上記ユーザによる所定の消費操作によって消費される時間ポイントを従来の販促ポイントとして捉えると、その交換レートは、その単位（例えば、貨幣における「円」や距離における「Km」、時間における「分」に相当する部分）において、必ず１：１となるのが、いわゆる共通ポイントに関する従来技術であって、これを例示すると、例えば、特定の発行元は、発行した販促ポイントと貨幣との換算レートに応じた費用をポイント管理事業者に支払い、ユーザが特定の消費先において販促ポイントを消費すると、該消費に充当された販促ポイントの貨幣との換算レートに基づく費用を該ポイント管理事業者が該消費先に支払うことで、該消費先におけるユーザに対する割引などを実現する技術の構成であるが、この様な従来技術による共通ポイントを採用したサービス・モデルにおいては、商材やサービスに限りがある小規模商店や専門店などが該共通ポイントを介して相互連携できるため、販促サービスに対するユーザの充足感が高められると言われているものの、ポイント管理事業者に対する該販促ポイントの発行または消費に係る処理手数料やシステム利用料が高く（通常、販促ポイントの発行に伴う売上金額の１〜２％）、また同販促ポイントの発行高とユーザの再来店がバランスしない、即ち、ユーザは、販促ポイントの消費条件が良いところに流れ易く、発行店にとっては、必ずしも、販促ポイントの発行高に見合うユーザの再来店が期待できないため、販促ポイントの発行コストが負担に感じられると言う欠点なども指摘されている。
【００４６】
本発明では、この様な従来技術の欠点を補うため、発行元における販促ポイントの発行条件を「時間」という物理的相対値を基準に特定する一方で、該販促ポイントの消費条件を「販促時間」に係る売価基準によって算出する技術を提供する。
【００４７】
即ち、発行元において、販促ポイントをユーザの商品購入価格に応じて発行するのではなく、ユーザによる所定の発行操作に基づく「時間」を基準に前記時間管理システムを運営するポイント流通センター（第三者）が時間ポイントを発行し、また消費先に対し、該消費先がユーザに提供する販促用の商材やサービスと該時間ポイントとの交換（消費）条件、即ち、換算レートを「販促時間」に係る売価基準によって算出させると共に、これら販促情報を該ポイント流通センターがユーザ（該時間ポイントの保有者）にアピール（例えば、電子メールなどで配信したりＷｅｂサイトで案内や利用に関するガイドを提供）することで、該消費先が提供する販促用の商材やサービスに係るコストと該発行元の時間ポイント発行コストをバランスさせる技術であり、この技術による共通ポイントを採用するサービス・モデルでは、該時間ポイントの発行コストを限りなくゼロにしつつ発行元と消費先の商材やサービスを相互補完させることが可能になり、また販促サービスに対するユーザの満足度も大幅に高めることが可能になる。
【００４８】
従って、本発明においては、上述した様な、ユーザによる所定の発行操作によって発行された時間ポイントと該ユーザによる所定の消費操作によって消費される時間ポイントとの交換レートは、その単位において、必ずしも１：１とはならず、共通ポイントに関する従来技術と根本的に異なる。
【００４９】
即ち、前記ユーザによる所定の発行操作によって発行される時間ポイントは、該ユーザの発行元における所定の経過時間に対して発行される時間ポイントであって、この様な時間ポイントが、貨幣との換算を前提としない「時間」と言う物理的相対値として、例えば、該所定の経過時間１分に対して１ＴＰ（ＴＰは、時間ポイントの単位）発行されれば、設備系サービス事業者（カラオケ店や映画館、遊園地、ゲームセンターなどの遊技場など）や施術系サービス事業者（美容室やエステ店、マッサージ治療院など）は、該時間ポイントの数に応じて、利用料金や販売価格などを割引く方法によってユーザの来店を促すのではなく、「サービス時間」の割増や「試用時間」の提供、或いは、「待ち時間」の短縮（優先入場）など、「販促時間」の提供という方法によって、ユーザに来店を促すことができ、しかも、販促に関する特別なコスト（割引は、実質的な販促コストである）を掛ける必要も無いので、本発明による時間ポイント流通管理ネットワーク・システムにおける消費先として参加することが期待されるところ、これら消費先は、それぞれ「販促時間」の売価基準（即ち、該消費先における該「販促時間」の単位時間当たりの通常の利用料金や通常の販売価格等）が異なるため、該所定の発行操作によって発行された時間ポイントの該消費先における消費条件については、例えば、該消費先における該「販促時間」の単位（１分）に対する時間ポイントの消費数として算出されるポイント売価、即ち、該「販促時間」の売価基準に基づく値（ｎ）に相当する時間ポイント数（ｎＴＰ）によって、通常の販売価格が維持されるので、該消費条件、即ち、該所定の発行操作によって発行された時間ポイントと該消費先における所定の消費操作によって消費される時間ポイントとの交換レートは、その単位において、１：ｎＴＰとして定められる。
【００５０】
これは、例えば、カラオケ店を消費先とした場合、利用時間１時間（６０分）に対する利用料金３００円から、まず「販促時間」に係る売価基準によって販促価格を求めると、該カラオケ店の販促価格は、１分に対し５円（単位は、［円／分］）となる。 
【００５１】
ここで、本発明における時間ポイントは、物理的相対値である「時間」を基準に、「待ち時間」１分に対して１ＴＰ（ＴＰは、時間ポイントの単位［分／分］）の時間ポイントが発行されるので、上記カラオケ店における「販促時間」１分の売価基準による時間ポイント売価は、例えば、販促価格の１分に対する「５円」と１分に対する時間ポイント「ｎＴＰ」が均衡する該時間ポイント「n」として、数式｛（１：５）＝（１：ｎ）｝からｎ＝５となり、該カラオケ店の「販促時間」の時間ポイント売価を５ＴＰと定めることができる。
【００５２】
また、例えば、映画館を消費先とした場合、平均上映時間１２０分に対する大人料金２４００円から、まず「販促時間」に係る売価基準によって販促価格を求めると、該映画館の販促価格は、１分に対し２０円（単位は、［円／分］）となる。
【００５３】
ここで、本発明における時間ポイントは、物理的相対値である「時間」を基準に、「待ち時間」１分に対して１ＴＰ（ＴＰは、時間ポイントの単位［分／分］）の時間ポイントが発行されるので、上記映画館における「販促時間」１分の売価基準による時間ポイント売価は、例えば、販促価格の１分に対する「２０円」と１分に対する時間ポイント「ｎＴＰ」が均衡する該時間ポイント「n」として、数式｛（１：２０）＝（１：ｎ）｝からｎ＝２０となり、該映画館の「販促時間」の時間ポイント売価を２０ＴＰと定めることができる。
【００５４】
なお、前述の「販促時間」に係る売価基準の算定については、例えば、映画館などでは、同じ映画の視聴であっても年齢によって鑑賞料金を変えており、また、例えば、６０才以上の消費者を対象に、競争目的ではない割引を一律に行っている場合があることから、ユーザの属性などによって変化させる構成を付加させることもできる。
【００５５】
本発明によれば、ユーザにとっては、加盟店（一般商店や銀行、役所などの公共機関が対象）での買い物やサービス利用、諸手続きにおいて、その本来目的に要する時間以外に供給した「待ち時間」（「不快な時間」）を時間ポイントとして貯めておき、これを提携店（設備系や施術系、ネット系のサービス事業者が対象）が提供する「販促時間」（「快適な時間」）に交換（消費）することが可能となり、かつ、加盟店（時間ポイントの発行拠点）においては、自店では提供し得ない商材やサービスを充足させることが、また、提携店（時間ポイントの消費拠点）においては、コストを掛けず販促機会を獲得することが、該時間ポイントを介して相互補完されるので、低コストで高い顧客満足が期待できる。
【００５６】
なお、本発明の実施例１は、時間を単位とする販促ポイントがユーザの特定場所における所定の経過時間を計測して発行または消費させる時間ポイントであることを特徴としたが、該時間ポイントの発行または消費は、前述した設備系や施術系のサービス提供に係る特定場所に限定されず、例えば、ネット系のサービス事業者によって提供される特定操作、即ち、ネットゲームや音楽や映像、電子ブックなどの視聴などによっても実施されるため、本発明の実施例２では、時間を単位とする販促ポイントがユーザの特定操作に関する所定時間を計測して発行または消費させる時間ポイントであることを特徴とする。
【実施例１】
【００５７】
以下、図面を参照しながら、本発明の実施例１について詳細に説明する。
本発明の実施例１は、時間を単位とする販促ポイントが、ユーザの特定場所における所定の経過時間を計測して発行または消費される時間ポイントであることを特徴とする。
【００５８】
本発明の実施例１では、ユーザは、買い物やサービス利用、諸手続きなどのため、加盟店に赴いた際、ユーザが保有するクライアント装置（時間を単位とする時間ポイントの発行操作及び消費操作に関するアプリケーションがインストールされたスマートフォンなどの携帯端末）によって、例えば、該加盟店に設置された位置通知装置が検知されてから非検知となるまでの「時間」が計測され、該計測された「時間」に応じた時間ポイントを獲得して貯めておくことができ、その後、ユーザは、該獲得して貯めた時間ポイントを、例えば、設備系や施術系、ネット系の提携店が提供する販促サービスを受ける「時間」に交換することができる。
【００５９】
図１は、本発明によって実現される「時間を単位とする販促ポイントの流通方法及び流通管理システム」の実施例１に関する概要図であり、該図１に記載のフロー記号（Ａ）〜（Ｄ）が、本発明における時間ポイントの発行方法に関する構成を示し、またフロー記号（Ｅ）〜（Ｈ）が、本発明における時間ポイントの消費方法に関する構成を示している。
【００６０】
先ず、図１に記載のフロー記号（Ａ）〜（Ｄ）に係る詳細図を使って、本発明における時間ポイントの発行方法に関する構成について詳細に述べる。
【００６１】
［ユーザによる所定の発行操作］
図２は、時間ポイントの発行方法に関する構成図であるところ、ユーザによる所定の発行操作については、加盟店１３００に設置したＢｌｕｅｔｏｏｔｈ規格の電波を発信する周知の電波発信器を備えた位置通知装置２３２０を起動しておき、Ｂｌｕｅｔｏｏｔｈ規格の電波を検知する周知の電波検知器２２１１を備えたスマートフォン（携帯電話）やタブレットＰＣなどの携帯端末であって該電波検知器２２１１の電波受信状態を監視しながら時間計測を行う受信計測プログラム５２１０と時間ポイントの発行管理を行うためのポイント発行プログラム５２３０や時間ポイントの消費管理を行うためのポイント消費プログラム５２４０（図３）からなる専用アプリ４２１０がインストールされたクライアント装置２２１０を保有するユーザ１２００が該専用アプリ４２１０を起動して該加盟店１３００に来店すると、該クライアント装置２２１０の電波検知器２２１１によって該位置通知装置２３２０から発信されるＢｌｕｅｔｏｏｔｈ規格の電波が検知され、該専用アプリ４２１０によって該位置通知装置２３２０の識別情報２３２１が取得されると共に、該取得された識別情報２３２１と該専用アプリ４２１０の識別情報４２１１が、該専用アプリ４２１０によって、インターネット１９００を介して、ポイント管理センター１１００の時間管理システム４１１０に送信される。
【００６２】
なお、上記専用アプリ４２１０を構成する各プログラムは、周知のＨＴＭＬ言語とＪａｖａＳｃｒｉｐｔやＰＨＰ、Ｐｅｒｌ、Ｊａｖａ、ＣやＣ++などのプログラム言語によって開発することができる。
【００６３】
また、上記専用アプリ４２１０の識別情報４２１１は、該専用アプリ４２１０を利用するユーザを特定するための固有情報であって、周知のＵＤＩＤやＩＭＥＩ、或いは、また、電話番号などに基づき、以下の様にして生成される。 
【００６４】
図４で示す様に、先ず、ユーザが、保有するスマートフォン（携帯電話）やタブレットＰＣなどのクライアント装置に備えられた周知のＷｅｂブラウザなどによって、インターネット１９００を介して、前記ポイント管理センター１１００の時間管理システム４１１０にアクセスすると、該時間管理システム４１１０を構成するアプリケーションサーバ装置２１２０の認証処理プログラム５１１０が実行され、該実行により、該クライアント装置にユーザ登録フォームが提供され、これに対し、該ユーザが、必要な事項を入力したり選択するなどしてサブミット（データ投入）すると、該サブミットによって、例えば、図１５のユーザ管理データベースのレコード・レイアウトで示した、電話番号や個体識別番号などのユーザ基本データ７０１３とユーザ名や郵便番号、性別、年齢などのユーザ属性データ７０１４が、該認証処理プログラム５１１０によって取得される。 
【００６５】
ここで、例えば、上記認証処理プログラム５１１０によって、上記取得されたユーザ基本データ７０１３の電話番号と個体識別番号を構成要素とする識別情報４２１１が生成され、該生成された該識別情報４２１１が、前記専用アプリ４２１０の識別情報記録コードに書き込まれると共に、該識別情報４２１１と該取得されたユーザ基本データ７０１３やユーザ属性データ７０１４が、図１５で示したユーザ管理データベースのレコード・レイアウトに従って、該ユーザ管理データベース３０１０に記録され、更に、該専用アプリ４２１０が、インターネット１９００を介して、上記クライアント装置にダウンロードされる。
【００６６】
この様にして、上記専用アプリ４２１０に書き込まれた識別情報４２１１と上記ユーザ管理データベース３０１０に記録されたユーザ基本データ７０１３やユーザ属性データ７０１４が関連付けられる。
【００６７】
ここで、図２で示す様に、前記時間管理システム４１１０は、通信制御装置２１０４とＷｅｂサーバ装置２１１０とアプリケーションサーバ装置２１２０及びデータベース管理サーバ装置２１３０からなるサーバシステムであって、該時間管理システム４１１０において、前記位置通知装置２３２０の識別情報２３２１と前記専用アプリ４２１０の識別情報４２１１が受信されると、該時間管理システム４１１０を構成するアプリケーションサーバ装置２１２０の認証処理プログラム５１１０が実行され、該実行により、所定の位置通知装置照合処理、即ち、該時間管理システム４１１０のデータベース管理サーバ装置２１３０を用いて、該受信した位置通知装置２３２０の識別情報２３２１が、位置通知装置データベース３０６０に登録されているか照合される処理であって、例えば、該識別情報２３２１を検索キーとして、該位置通知装置データベース３０６０から該識別情報２３２１の位置通知装置２３２０が設置されている前記加盟店１３００の加盟店ＩＤ７０２１（図１６）に相当する設置先ＩＤ７０６２（図２０）が検出されることによって、また、所定のユーザ照合処理、即ち、該データベース管理サーバ装置２１３０を用いて、該受信した専用アプリ４２１０の識別情報４２１１が、ユーザ管理データベース３０１０に登録されているか照合される処理であって、例えば、該識別情報４２１１を検索キーとして、該ユーザ管理データベース３０１０から該ユーザ１２００のユーザＩＤ７０１１（図１５）やユーザ属性データ７０１４（図１５）などが検出されることによって、該識別情報４２１１と該識別情報２３２１を構成要素とする認証コード６５１０が生成されると共に、該アプリケーションサーバ装置２１２０の条件管理プログラム５１２０によって、該位置通知装置２３２０の識別情報２３２１に関する照合結果、即ち、所定の位置通知装置照合処理によって検出された該加盟店１３００の加盟店ＩＤ７０２１に相当する設置先ＩＤ７０６２を検索キーとして、図１８で示す加盟店ガイドデータベース３０４０から該加盟店１３００によって設定された発行対象データ７０４２と発行条件パラメータ７０４３からなる案内ガイドデータ６０４１が抽出され、該発行対象データ７０４２に設定された対象時間データ８０４２と該発行条件パラメータ７０４３及び該生成された認証コード６５１０が、該時間管理システム４１１０から、インターネット１９００を介して、前記クライアント装置２２１０に送信される。
なお、上記の発行条件パラメータ７０４３については、後述する。
【００６８】
［発行操作に関する時間計測処理］
上述した［ユーザによる所定の発行操作］に基づく時間計測処理については、図２で示す様に、前記クライアント装置２２１０において、前記対象時間データ８０４２と前記発行条件パラメータ７０４３及び前記認証コード６５１０が受信されると、前記専用アプリ４２１０によって、先ず、該対象時間データ８０４２と認証コード６５１０が該専用アプリ４２１０を構成する受信計測プログラム５２１０の計測パラメータにセットされて該受信計測プログラム５２１０が実行され、該実行により、該クライアント装置２２１０に備えられた電波検知器２２１１によって前記位置通知装置２３２０から発信されるＢｌｕｅｔｏｏｔｈ規格の電波が検知され続ける限り、時間が計測されると共に、該対象時間データ８０４２の計測開始時刻に関する設定、例えば、該受信計測プログラム５２１０の実行時刻を計測開始時刻とする設定に従い、該専用アプリ４２１０によって該実行時刻が計測開始時刻（Ｔs）として取得される。
【００６９】
ここで、図２で示す様に、上記受信計測プログラム５２１０の計測パラメータは、該計測パラメータにセットされた上記認証コード６５１０の構成要素である前記識別情報４２１１と前記識別情報２３２１にそれぞれ合致する前記クライアント装置２２１０と前記位置通知装置２３２０との間における通信を該受信計測プログラム５２１０が確立、維持するためのキー値を含むパラメータであって、該キー値は、例えば、Ｂｌｕｅｔｏｏｔｈ通信における周知のペアリング・キーやＷｉＦｉ通信における周知のＷＥＰキーなどに相当する。
【００７０】
次に、図２で示す様に、前記クライアント装置２２１０を保有する前記ユーザ１２００が前記加盟店１３００を退店し、該クライアント装置２２１０に備えられた電波検知器２２１１が前記位置通知装置２３２０から発信されるＢｌｕｅｔｏｏｔｈ規格の電波を誤差設定時間（Ｅr）以上検知しなくなり前記受信計測プログラム５２１０の実行が終了すると、前記対象時間データ８０４２の計測終了時刻に関する設定、例えば、該受信計測プログラム５２１０の実行が終了した時刻を計測終了時刻とする設定に従い、該受信計測プログラム５２１０の実行が終了した時刻が計測終了時刻（Ｔe）として取得される。
【００７１】
なお、上記の誤差設定時間（Ｅr）は、ユーザが加盟店や提携店を退店したことを判定するための時間であるところ、上記クライアント装置に備えられる周知の電波検知器によって検知される電波は、該電波を発信する発信器が設置される建物の構造や形状などによって干渉することがあるため、前記位置通知装置を加盟店や提携店に設置する際には、例えば、該位置通知装置を計測開始場所とする加盟店や提携店の入口付近に設置し、該クライアント装置によって該位置通知装置の電波が検知されない距離の複数位置から該クライアント装置を通常の歩行速度（４Km／h）で移動させて該クライアント装置によって該位置通知装置の電波が検知されるまでの経過時間（pＴ）を複数回に渡って測定したり、或いは、該位置通知装置を計測終了場所とする加盟店や提携店の出口付近に設置し、該クライアント装置によって該位置通知装置の電波が検知される距離の複数位置から該クライアント装置を通常の歩行速度（４Km／h）で移動させて該クライアント装置によって該位置通知装置の電波が検知されなくなるまでの経過時間（pＴ）を複数回に渡って測定するなどの方法によって、例えば、該経過時間（pＴ）の平均値（avrＴ）や最大値（maxＴ）に設定されるところの誤差設定時間（Ｅr）である。
【００７２】
［時間計測処理に基づく発行ポイントの算出処理］
上述の［発行操作に関する時間計測処理］に続き、図２で示す様に、前記受信計測プログラム５２１０の実行過程において前記専用アプリ４２１０によって取得された計測開始時刻（Ｔs）と計測終了時刻（Ｔe）が、該専用アプリ４２１０によって、該専用アプリ４２１０を構成するポイント発行プログラム５２３０の時刻設定パラメータ７２３１にセットされると共に、該ポイント発行プログラム５２３０が実行され、該実行により、該時刻設定パラメータ７２３１と前記発行条件パラメータ７０４３に基づく時間ポイントの発行数が算出される。
【００７３】
ここで、上記時刻設定パラメータ７２３１は、計測開始時刻（Ｔs）が代入される開始時刻フィールドと計測終了時刻（Ｔe）が代入される終了時刻フィールドや誤差設定時間（Ｅr）が代入される誤差時間フィールドなどからなるパラメータであって、また、発行条件パラメータ７０４３は、図１８で示した様に、前記ポイント管理センター１１００によって定められる基本レートフィールドと、後述の［「提携店利用ガイド」の登録処理］で説明する利用ガイド設定フォームによって、前記加盟店１３００が任意に設定する、設定レートフィールドや調整時間フィールドからなり、例えば、該基本レートフィールドには、実質計測時間（Ｓt）の単位時間１分に対して時間ポイントを１ＴＰ（ＴＰは時間ポイントの単位）発行することを指示する基本レート（Ｒs）として「１」が代入され、また、該設定レートフィールドには、例えば、該加盟店１３００が独自に時間ポイントを発行する場合の設定レート（Ｒn）が代入され、該調整時間フィールドには、例えば、通常のサービス供給や施術等に要する所要時間を超過する時間を対象に時間ポイントを提供する場合、該実質計測時間（Ｓt）から差し引く該所要時間が調整時間（Ｃt）として代入される。
【００７４】
以上から、上記ポイント発行プログラム５２３０によって算出される時間ポイントの発行数（Ｅp）は、例えば、上記時刻設定パラメータ７２３１の計測開始時刻（Ｔs）と計測終了時刻（Ｔe）及び誤差設定時間（Ｅr）に基づく実質計測時間（Ｓt）を数式｛Ｓt＝（ＴeーＴs−Ｅr）｝によって定めると、上記発行条件パラメータ７０４３の基本レートフィールドに代入される基本レート（Ｒs）と調整時間フィールドに代入される調整時間（Ｃt）に基づき、数式｛Ｅp＝（Ｓt−Ｃt）×Ｒs｝によって算出することができる。
【００７５】
［時間ポイントの発行履歴データ管理処理］
図２で示す様に、前記クライアント装置２２１０において、前記専用アプリ４２１０を構成するポイント発行プログラム５２３０の実行が終了すると、該専用アプリ４２１０によって、前記認証コード６５１０と前記算出された時間ポイントの発行数が、インターネット１９００を介して、前記ポイント管理センター１１００の時間管理システム４１１０に送信され、これらを該時間管理システム４１１０が受信すると、該時間管理システム４１１０の前記認証処理プログラム５１１０が実行され、該実行により、所定の認証コード照合処理、即ち、該時間管理システム４１１０のデータベース管理サーバ装置２１３０を用いて、該受信した認証コード６５１０の構成要素である前記位置通知装置２３２０の識別情報２３２１と該専用アプリ４２１０の識別情報４２１１が、それぞれ、位置通知装置データベース３０６０とユーザ管理データベース３０１０に登録されているか照合される処理であって、例えば、該識別情報２３２１を検索キーとして、該位置通知装置データベース３０６０から該識別情報２３２１の位置通知装置２３２０が設置されている前記加盟店１３００の加盟店ＩＤ７０２１（図１６）に相当する設置先ＩＤ７０６２（図２０）が検出されると共に、該識別情報４２１１を検索キーとして、該ユーザ管理データベース３０１０から該ユーザ１２００のユーザＩＤ７０１１（図１５）やユーザ属性データ７０１４（図１５）などが検出されることによって、該時間管理システム４１１０を構成するアプリケーションサーバ装置２１２０のポイント管理プログラム５１３０が実行され、該実行により、該照合された位置通知装置２３２０の識別情報２３２１と該専用アプリ４２１０の識別情報４２１１及び該受信した時間ポイントの発行数からなる時間ポイントの「発行」に対応する履歴データが、図２１に示した、ポイント管理データベースのレコード・レイアウトに従い、該ポイント管理データベース３０７０に記録される。
【００７６】
以上の様にして、加盟店における顧客の「待機時間」、例えば、店舗に来店した時間から商品購入やサービスの受付が開始された時間までの「混雑待機時間」や、店舗において商品やサービスを注文した時間から該商品やサービスが提供された時間までの「供給待機時間」、或いは、店舗に来店した時間から退店した時間までの滞在時間から該店舗における商品販売やサービス提供に係る通常の所要時間を差し引いた「超過待機時間」などに応じて、時間を単位とする販促ポイント、即ち、時間ポイントが、ユーザに提供される。
【００７７】
ここで、加盟店によるこの様なサービスは、ユーザに対し、効率良く告知されなければならないので、上述した本発明の構成には、ユーザのクライアント装置において「加盟店案内ガイド」が提供（表示）される構成が付加される。
【００７８】
［「加盟店案内ガイド」の登録処理］
具体的には、図５の概要図で示す様に、加盟店１３００のユーザが、Ｗｅｂブラウザを備えたＰＣなどのクライアント装置２３１０によって、インターネット１９００を介して、前記ポイント管理センター１１００のＷｅｂサーバ装置２１１０によって公開されている「加盟店案内ガイド」に関するＷｅｂページにアクセスすると、該Ｗｅｂブラウザにおいて加盟店ログインフォームが表示され、該加盟店ログインフォームに加盟店ＩＤとパスワードが入力されサブミット（データ投入）されると、該サブミットされた加盟店ＩＤとパスワードがポイント管理センター１１００の時間管理システム４１１０によって取得されると共に、該時間管理システム４１１０を構成するアプリケーションサーバ装置２１２０の認証処理プログラム５１１０が実行され、該実行により、所定のログイン処理が行われる。
【００７９】
この所定のログイン処理において、上記取得された加盟店ＩＤとパスワードが上記ポイント管理センター１１００の加盟店管理データベース３０２０に登録されていることが照合され、該取得された加盟店ＩＤに対応する加盟店ＩＤ７０２１（図１６）が抽出されると、ログインが成立して、上記クライアント装置２３１０のＷｅｂブラウザにおいて案内ガイド設定フォーム５３８１が提供（表示）され、該案内ガイド設定フォーム５３８１に対する以下の様な所定のガイド設定操作を経て、該加盟店１３００の案内ガイドデータ６０４１が構成されると共に、該ポイント管理センター１１００の加盟店ガイドデータベース３０４０に記録される。
【００８０】
この所定のガイド設定操作は、上記加盟店１３００のユーザが、上記案内ガイド設定フォーム５３８１の手順に従って、ユーザ１２００に発行される時間ポイントに関して案内ガイドを設定すると、該設定された案内ガイドが案内ガイドデータ６０４１（図１８）に構成されて上記加盟店ガイドデータベース３０４０に記録される操作であって、先ず、該案内ガイド設定フォーム５３８１の発行対象設定フィールドにおいて、例えば、時間ポイントがユーザ１２００に発行される対象時間として、前述の「混雑待機時間」や「供給待機時間」、「超過待機時間」などに関する項目を選択したり、タイトルや説明文などをテキスト入力すると共に、上記クライアント装置２３１０に備えられたローカルディスクやメモリなどに準備された案内ガイド用の画像や動画などを選択し、また、該案内ガイド設定フォーム５３８１の発行条件設定フィールドにおいて、該対象時間に対して発行される時間ポイントの発行数、即ち、前述の［時間計測処理に基づく発行ポイントの算出処理］で説明した、計測時間の単位時間１分に対して発行される時間ポイントの発行数について、基本レート（Ｒs）を選択したり、該加盟店１３００が独自に時間ポイントを発行する場合の設定レート（Ｒn）を入力し、更に、例えば、通常のサービス供給や施術等に要する所要時間を超過する時間を対象に時間ポイントを提供する場合、該実質計測時間（Ｓt）から差し引く該所要時間の調整時間（Ｃt）を入力してサブミット（データ投入）すると、該案内ガイド設定フォーム５３８１の発行対象設定フィールドや発行条件設定フィールドにおいて入力または選択されて設定された、テキストや画像、動画などからなる加盟店１３００の案内ガイドに関するデータが、上記時間管理システム４１１０において取得されると共に、該時間管理システム４１１０を構成するアプリケーションサーバ装置２１２０の条件管理プログラム５１２０が実行され、該実行により、該取得された加盟店１３００の案内ガイドに関するデータが、図１８で示した加盟店ガイドデータベースのレコード・レイアウトに従い、テキストや画像、動画などからなり発行対象ＩＤ８０４１を含む発行対象データ７０４２と、対象時間に応じて発行される時間ポイントに関する基本レートと設定レートや調整時間、フラグコードなどからなる発行条件パラメータ７０４３及び、上記加盟店ＩＤ７０２１と該加盟店１３００の業種コード７０２２や加盟店位置データ８０２１からなる案内ガイドＩＤ７０４１などによって案内ガイドデータ６０４１が構成されると共に、該加盟店ガイドデータベース３０４０に記録され、「加盟店案内ガイド」の登録が完了する。
【００８１】
なお、上記加盟店１３００に設置される位置通知装置の識別情報については、ポイント管理センター１１００によって任意に設定され、該設定された識別情報と該加盟店１３００の上記加盟店ＩＤ７０２１は、図２０で示した位置通知装置データベースのレコード・レイアウトに従って、識別情報７０６１と設置先ＩＤ７０６２として、該位置通知装置データベース３０６０に記録される。
【００８２】
［「加盟店案内ガイド」の提供方法］
上述の様にして登録された「加盟店案内ガイド」は、図５で示す様に、以下の様にして、ユーザ１２００に提供される。
【００８３】
ユーザ１２００が、前述したクライアント装置２２１０の専用アプリ４２１０を起動して、該クライアント装置２２１０が、インターネット１９００を介して、前記ポイント管理センター１１００の時間管理システム４１１０に接続されると、該クライアント装置２２１０においてユーザログインフォームが表示され、該ユーザログインフォームにユーザＩＤ７０１１とパスワードが入力されサブミット（データ投入）されると、該サブミットされたユーザＩＤ７０１１とパスワードが該ポイント管理センター１１００の時間管理システム４１１０によって取得されると共に、該時間管理システム４１１０を構成するアプリケーションサーバ装置２１２０の認証処理プログラム５１１０が実行され、該実行により、所定のログイン処理が行われる。
【００８４】
この所定のログイン処理において、上記取得されたユーザＩＤとパスワードが該ポイント管理センター１１００のユーザ管理データベース３０１０に登録されていることが照合され、該取得されたユーザＩＤに対応するユーザＩＤ７０１１（図１５）が抽出されると、ログインが成立して、上記クライアント装置２２１０の表示画面に「サービスメニュー」を含む初期画面が表示される。
【００８５】
この「サービスメニュー」には、時間ポイントが発行される加盟店リストや加盟店ごとの案内ガイドが提供される「加盟店案内ガイド」なる選択項目があり、先ず、上記ユーザ１２００によって該「加盟店案内ガイド」が選択されると、該選択情報が上記時間管理システム４１１０において取得されると共に、該時間管理システム４１１０を構成するアプリケーションサーバ装置２１２０の条件管理プログラム５１２０が実行され、該実行により、図１８で示した加盟店ガイドデータベース３０４０から、案内ガイドＩＤ７０４１と発行対象データ７０４２が加盟店ごとに抽出されると共に、該抽出された加盟店ごとの該案内ガイドＩＤ７０４１と該発行対象データ７０４２が含まれた加盟店リストが生成され、該生成された加盟店リストが、インターネット１９００を介して、該クライアント装置２２１０に送信されると、上記専用アプリ４２１０によって、該送信された加盟店リストが取得されると共に、該クライアント装置２２１０の表示画面に表示される。
【００８６】
ここで、ユーザ１２００は、上記送信された加盟店リストに含まれた発行対象データ７０４２（図１８）のテキストや画像データによる説明文や画像を確認することができ、例えば、該加盟店リストから好みの加盟店１３００を選択すると、該加盟店１３００の選択情報に含まれた案内ガイドＩＤ７０４１（図１８）が上記時間管理システム４１１０において取得されると共に、上記条件管理プログラム５１２０が実行され、該実行により、上記加盟店ガイドデータベース３０４０から、該取得された案内ガイドＩＤ７０４１に基づき、該加盟店１３００の案内ガイドデータ６０４１（図１８）が抽出され、該抽出された案内ガイドデータ６０４１が、インターネット１９００を介して、該クライアント装置２２１０に送信されると、上記専用アプリ４２１０によって、該送信された加盟店１３００の案内ガイドデータ６０４１が取得されると共に、該クライアント装置２２１０の表示画面に表示され、ユーザに、該加盟店１３００の店舗情報や時間ポイントの発行条件などに関するテキストや画像、動画などからなる「加盟店案内ガイド」が提供される。
【００８７】
この様に「加盟店案内ガイド」の登録処理と提供方法によって、加盟店における時間ポイントの発行に関するサービスが効率良くユーザに告知される。
【００８８】
次に、図１に記載のフロー記号（Ｅ）〜（Ｈ）に係る詳細図を使って、本発明における時間ポイントの消費方法に関する構成について詳細に述べる。
【００８９】
［ユーザによる所定の消費操作］
図３は、時間ポイントの消費方法に関する構成図であるところ、ユーザによる所定の消費操作については、提携店１４００に設置したＢｌｕｅｔｏｏｔｈ規格の電波を発信する周知の電波発信器を備えた位置通知装置２４２０を起動しておき、Ｂｌｕｅｔｏｏｔｈ規格の電波を検知する周知の電波検知器２２１１を備えたスマートフォン（携帯電話）やタブレットＰＣなどの携帯端末であって該電波検知器２２１１の電波受信状態を監視しながら時間計測を行う受信計測プログラム５２１０と時間ポイントの消費管理を行うためのポイント消費プログラム５２４０や時間ポイントの発行管理を行うためのポイント発行プログラム５２３０（図２）からなる専用アプリ４２１０がインストールされたクライアント装置２２１０を保有するユーザ１２００が該専用アプリ４２１０を起動して該提携店１４００に来店すると、該クライアント装置２２１０の電波検知器２２１１によって該位置通知装置２４２０から発信されるＢｌｕｅｔｏｏｔｈ規格の電波が検知され、該専用アプリ４２１０によって該位置通知装置２４２０の識別情報２４２１が取得されると共に、該取得された識別情報２４２１と該専用アプリ４２１０の識別情報４２１１が、該専用アプリ４２１０によって、インターネット１９００を介して、ポイント管理センター１１００の時間管理システム４１１０に送信される。
【００９０】
ここで、図３で示す様に、前記時間管理システム４１１０において、前記位置通知装置２４２０の識別情報２４２１と前記専用アプリ４２１０の識別情報４２１１が受信されると、該時間管理システム４１１０を構成するアプリケーションサーバ装置２１２０の認証処理プログラム５１１０が実行され、該実行により、所定の位置通知装置照合処理、即ち、該時間管理システム４１１０のデータベース管理サーバ装置２１３０を用いて、該受信した位置通知装置２４２０の識別情報２４２１が、位置通知装置データベース３０６０に登録されているか照合される処理であって、例えば、該識別情報２４２１を検索キーとして、該位置通知装置データベース３０６０から該識別情報２４２１の位置通知装置２４２０が設置されている前記提携店１４００の提携店ＩＤ７０３１（図１７）に相当する設置先ＩＤ７０６２（図２０）が検出されることによって、また、所定のユーザ照合処理、即ち、該データベース管理サーバ装置２１３０を用いて、該受信した専用アプリ４２１０の識別情報４２１１が、図１５で示したユーザ管理データベース３０１０に登録されているか照合される処理であって、例えば、該識別情報４２１１を検索キーとして、該ユーザ管理データベース３０１０から該ユーザ１２００のユーザＩＤ７０１１（図１５）やユーザ属性データ７０１４（図１５）などが検出されることによって、該識別情報４２１１と該識別情報２４２１を構成要素とする認証コード６５１０が生成されると共に、該アプリケーションサーバ装置２１２０の条件管理プログラム５１２０によって、該位置通知装置２４２０の識別情報２４２１に関する照合結果、即ち、所定の位置通知装置照合処理によって検出された該提携店１４００の提携店ＩＤ７０３１に相当する設置先ＩＤ７０６２を検索キーとして、図１９で示す提携店ガイドデータベース３０５０から該提携店１４００によって設定された販促企画データ７０５２と消費条件パラメータ７０５３からなる利用ガイドデータ６０５１が抽出され、該販促企画データ７０５２に設定された対象販促データ８０５２と該消費条件パラメータ７０５３及び該生成された認証コード６５１０が、該時間管理システム４１１０から、インターネット１９００を介して、前記クライアント装置２２１０に送信される。
なお、上記の消費条件パラメータ７０５３については後述する。
【００９１】
［消費操作に関する時間計測処理］
上述した［ユーザによる所定の消費操作］に基づく時間計測処理については、図３で示す様に、前記クライアント装置２２１０において、前記対象販促データ８０５２と前記消費条件パラメータ７０５３及び前記認証コード６５１０が受信されると、前記専用アプリ４２１０によって、先ず、該対象販促データ８０５２と認証コード６５１０が該専用アプリ４２１０を構成する受信計測プログラム５２１０の計測パラメータにセットされて該受信計測プログラム５２１０が実行され、該実行により、該クライアント装置２２１０に備えられた電波検知器２２１１によって前記位置通知装置２４２０から発信されるＢｌｕｅｔｏｏｔｈ規格の電波が検知され続ける限り、時間が計測されると共に、該対象販促データ８０５２の計測開始時刻に関する設定、例えば、該受信計測プログラム５２１０の実行時刻を計測開始時刻とする設定に従い、該専用アプリ４２１０によって該実行時刻が計測開始時刻（Ｔs）として取得される。
【００９２】
なお、上記計測パラメータについては、前述の通りである。
次に、図３で示す様に、前記クライアント装置２２１０を保有する前記ユーザ１２００が前記提携店１４００を退店し、該クライアント装置２２１０に備えられた電波検知器２２１１が前記位置通知装置２４２０から発信されるＢｌｕｅｔｏｏｔｈ規格の電波を誤差設定時間（Ｅr）以上検知しなくなり前記受信計測プログラム５２１０の実行が終了すると、該対象販促データ８０５２の計測終了時刻に関する設定、例えば、該受信計測プログラム５２１０の実行が終了した時刻を計測終了時刻とする設定に従い、該受信計測プログラム５２１０の実行が終了した時刻が計測終了時刻（Ｔe）として取得される。
【００９３】
［時間計測処理に基づく消費ポイントの算出処理］
上述の［消費操作に関する時間計測処理］に続き、図３で示す様に、前記受信計測プログラム５２１０の実行過程において前記専用アプリ４２１０によって取得された計測開始時刻（Ｔs）と計測終了時刻（Ｔe）が、該専用アプリ４２１０によって、該専用アプリ４２１０を構成するポイント消費プログラム５２４０の時刻設定パラメータ７２４１にセットされると共に、該ポイント消費プログラム５２４０が実行され、該実行により、該時刻設定パラメータ７２４１と前記消費条件パラメータ７０５３に基づく時間ポイントの消費数が算出される。
【００９４】
ここで、上記の時刻設定パラメータ７２４１は、計測開始時刻（Ｔs）が代入される開始時刻フィールドと計測終了時刻（Ｔe）が代入される終了時刻フィールドや誤差設定時間（Ｅr）が代入される誤差時間フィールドなどからなるパラメータであって、また、消費条件パラメータ７０５３は、図１９で示した様に、後述の［「提携店利用ガイド」の登録処理］で説明する利用ガイド設定フォームによって、前記提携店１４００が任意に設定する、販売時間フィールドと販売価格フィールド及び販促時間フィールドからなり、例えば、該販売時間フィールドには、該提携店１４００において販売する通常サービスの販売時間（Ｔn）が代入され、該販売価格フィールドには、該販売時間（Ｔn）の販売価格（Ｐs）が代入され、該販促時間フィールドには、例えば、該販売時間（Ｔn）と販売価格（Ｐs）に基づくポイント売価（円／分）によってユーザに提供する販促時間（Ｔp）が代入される。
【００９５】
以上から、上記ポイント消費プログラム５２４０によって算出される時間ポイントの消費数（Ｃp）は、例えば、上記時刻設定パラメータ７２４１の計測開始時刻（Ｔs）と計測終了時刻（Ｔe）及び誤差設定時間（Ｅr）に基づく実質計測時間（Ｓt）を数式｛Ｓt＝（Ｔe−Ｔs−Ｅr）｝によって定めると、上記消費条件パラメータ７０５３の販売時間フィールドに代入される販売時間（Ｔn）と販売価格フィールドに代入される販売価格（Ｐs）及び販促時間フィールドに代入される販促時間（Ｔp）に基づき、数式｛Ｃp＝（Ｐs÷Ｔn）×Ｔp｝によって算出することができる。
【００９６】
［時間ポイントの消費履歴データ管理処理］
図３で示す様に、前記クライアント装置２２１０において、前記専用アプリ４２１０を構成するポイント消費プログラム５２４０の実行が終了すると、該専用アプリ４２１０によって、前記認証コード６５１０と前記算出された時間ポイントの消費数が、インターネット１９００を介して、前記ポイント管理センター１１００の時間管理システム４１１０に送信され、これらを該時間管理システム４１１０が受信すると、該時間管理システム４１１０の前記認証処理プログラム５１１０が実行され、該実行により、所定の認証コード照合処理、即ち、該時間管理システム４１１０のデータベース管理サーバ装置２１３０を用いて、該受信した認証コード６５１０の構成要素である前記位置通知装置２４２０の識別情報２４２１と該専用アプリ４２１０の識別情報４２１１が、それぞれ、位置通知装置データベース３０６０とユーザ管理データベース３０１０に登録されているか照合される処理であって、例えば、該識別情報２４２１を検索キーとして、該位置通知装置データベース３０６０から該識別情報２４２１の位置通知装置２４２０が設置されている前記提携店１４００の提携店ＩＤ７０３１（図１７）に相当する設置先ＩＤ７０６２（図２０）が検出されると共に、該識別情報４２１１を検索キーとして、該ユーザ管理データベース３０１０から該ユーザ１２００のユーザＩＤ７０１１（図１５）やユーザ属性データ７０１４（図１５）などが検出されることによって、該時間管理システム４１１０を構成するアプリケーションサーバ装置２１２０のポイント管理プログラム５１３０が実行され、該実行により、該照合された位置通知装置２４２０の識別情報２４２１と該専用アプリ４２１０の識別情報４２１１及び該受信した時間ポイントの消費数からなる時間ポイントの「消費」に対応する履歴データが、図２１に示したポイント管理データベースのレコード・レイアウトに従い、該ポイント管理データベース３０７０に記録される。
【００９７】
以上の様にして、提携店における顧客に対する「販促時間」、例えば、新サービスへの顧客誘導に係る「お試し販促時間」や、サービスの目標達成に係る「販売強化販促時間」、或いは、店舗リニューアルなどに係る「新装開店販促時間」などに応じて、時間ポイントを利用（消費）できるサービスを実現することが可能になる。
【００９８】
ここで、提携店によるこの様な販促企画は、ユーザに対し、効率良く告知されなければならないので、上述した本発明の構成には、ユーザのクライアント装置において「提携店利用ガイド」が提供（表示）される構成が付加される。
【００９９】
［「提携店利用ガイド」の登録処理］
具体的には、図６の概要図で示す様に、提携店１４００のユーザが、Ｗｅｂブラウザを備えたＰＣなどのクライアント装置２４１０によって、インターネット１９００を介して、前記ポイント管理センター１１００のＷｅｂサーバ装置２１１０によって公開されている「提携店利用ガイド」に関するＷｅｂページにアクセスすると、該Ｗｅｂブラウザにおいて提携店ログインフォームが表示され、該提携店ログインフォームに提携店ＩＤとパスワードが入力されサブミット（データ投入）されると、該サブミットされた提携店ＩＤとパスワードがポイント管理センター１１００の時間管理システム４１１０によって取得されると共に、該時間管理システム４１１０を構成するアプリケーションサーバ装置２１２０の認証処理プログラム５１１０が実行され、該実行により、所定のログイン処理が行われる。
【０１００】
この所定のログイン処理において、上記取得された提携店ＩＤとパスワードが上記ポイント管理センター１１００の提携店管理データベース３０３０に登録されていることが照合され、該取得された提携店ＩＤに対応する提携店ＩＤ７０３１（図１７）が抽出されると、ログインが成立して、上記クライアント装置２４１０のＷｅｂブラウザにおいて利用ガイド設定フォーム５４８１が提供（表示）され、該利用ガイド設定フォーム５４８１に対する以下の様な所定のガイド設定操作を経て、該提携店１４００の利用ガイドデータ６０５１が構成されると共に、該ポイント管理センター１１００の提携店ガイドデータベース３０５０に記録される。
【０１０１】
この所定のガイド設定操作は、上記提携店１４００のユーザが、上記利用ガイド設定フォーム５４８１の手順に従って、ユーザ１２００が時間ポイントを利用（消費）できる販促企画に関して利用ガイドを設定すると、該設定された利用ガイドが利用ガイドデータ６０５１（図１９）に構成されて上記提携店ガイドデータベース３０５０に記録される操作であって、先ず、該利用ガイド設定フォーム５４８１の販促企画設定フィールドにおいて、例えば、ユーザ１２００が時間ポイントを利用（消費）できる対象時間として、前述の「お試し販促時間」や「販売強化販促時間」、「新装開店販促時間」などに関する項目を選択したり、タイトルや説明文などをテキスト入力すると共に、上記のクライアント装置２４１０に備えられたローカルディスクやメモリなどに準備された利用ガイド用の画像や動画などを選択し、また、該利用ガイド設定フォーム５４８１の消費条件設定フィールドにおいて、該販促企画によって消費される時間ポイントの消費数、即ち、前述の［時間計測処理に基づく消費ポイントの算出処理］で説明した、該提携店１４００において販売する通常サービスの販売時間（Ｔn）を入力し、また、該販売時間（Ｔn）の販売価格（Ｐs）を入力し、更に、該販売時間（Ｔn）と販売価格（Ｐs）に基づくポイント売価（円／分）によってユーザに提供する販促時間（Ｔp）を入力してサブミット（データ投入）すると、該利用ガイド設定フォーム５４８１の販促企画設定フィールドや消費条件設定フィールドにおいて入力または選択されて設定された、テキストや画像、動画などからなる提携店１４００の利用ガイドに関するデータが、上記時間管理システム４１１０において取得されると共に、該時間管理システム４１１０を構成するアプリケーションサーバ装置２１２０の条件管理プログラム５１２０が実行され、該実行により、該取得されたデータが、図１９で示した提携店ガイドデータベースのレコード・レイアウトに従い、テキストや画像、動画などからなり販促企画ＩＤ８０５１を含む販促企画データ７０５２と、該提携店１４００において販売される通常サービスの販売時間やその販売価格と時間計測に関するフラグコードなどからなる消費条件パラメータ７０５３及び、上記提携店ＩＤ７０３１と該提携店１４００の業種コード７０３２や提携店位置データ８０３１からなる利用ガイドＩＤ７０５１などによって利用ガイドデータ６０５１が構成されると共に、該提携店ガイドデータベース３０５０に記録され、「提携店利用ガイド」の登録が完了する。
【０１０２】
なお、上記提携店１４００に設置される位置通知装置の識別情報については、ポイント管理センター１１００によって任意に設定され、該設定された識別情報と該提携店１４００の上記提携店ＩＤ７０３１は、図２０で示した位置通知装置データベースのレコード・レイアウトに従って、識別情報７０６１と設置先ＩＤ７０６２として、該位置通知装置データベース３０６０に記録される。
【０１０３】
［「提携店利用ガイド」の提供方法］
上述の様にして登録された「提携店利用ガイド」は、図６で示す様に、以下の様にして、ユーザ１２００に提供される。
【０１０４】
ユーザ１２００が、前述したクライアント装置２２１０の専用アプリ４２１０を起動して、該クライアント装置２２１０が、インターネット１９００を介して、前記ポイント管理センター１１００の時間管理システム４１１０に接続されると、該クライアント装置２２１０においてユーザログインフォームが表示され、該ユーザログインフォームにユーザＩＤ７０１１とパスワードを入力されサブミット（データ投入）されると、該サブミットされたユーザＩＤ７０１１とパスワードが該ポイント管理センター１１００の時間管理システム４１１０によって取得されると共に、該時間管理システム４１１０を構成するアプリケーションサーバ装置２１２０の認証処理プログラム５１１０が実行され、該実行により、所定のログイン処理が行われる。
【０１０５】
この所定のログイン処理において、上記取得されたユーザＩＤとパスワードが該ポイント管理センター１１００のユーザ管理データベース３０１０に登録されていることが照合され、該取得されたユーザＩＤに対応するユーザＩＤ７０１１（図１５）が抽出されると、ログインが成立して、上記クライアント装置２２１０の表示画面に「サービスメニュー」を含む初期画面が表示される。
【０１０６】
この「サービスメニュー」には、時間ポイントを利用（消費）できる提携店リストや提携店ごとの利用ガイドが提供される「提携店利用ガイド」なる選択項目があり、先ず、上記ユーザ１２００によって該「提携店利用ガイド」が選択されると、該選択情報が上記時間管理システム４１１０において取得されると共に、該時間管理システム４１１０を構成するアプリケーションサーバ装置２１２０の条件管理プログラム５１２０が実行され、該実行により、図１９で示した提携店ガイドデータベース３０５０から、利用ガイドＩＤ７０５１と販促企画データ７０５２が提携店ごとに抽出されると共に、該抽出された提携店ごとの該利用ガイドＩＤ７０５１と該販促企画データ７０５２が含まれた提携店リストが生成され、該生成された提携店リストが、インターネット１９００を介して、該クライアント装置２２１０に送信されると、上記専用アプリ４２１０によって、該送信された提携店リストが取得されると共に、該クライアント装置２２１０の表示画面に表示される。
【０１０７】
ここで、ユーザ１２００は、上記送信された提携店リストに含まれた販促企画データ７０５２（図１９）のテキストや画像データによる説明文や画像を確認することができ、例えば、該提携店リストから好みの提携店１４００を選択すると、該提携店１４００の選択情報に含まれた利用ガイドＩＤ７０５１（図１９）が上記の時間管理システム４１１０において取得されると共に、上記条件管理プログラム５１２０が実行され、該実行により、上記提携店ガイドデータベース３０５０から、該取得された利用ガイドＩＤ７０５１に基づき、該提携店１４００の利用ガイドデータ６０５１（図１９）が抽出され、該抽出された利用ガイドデータ６０５１が、インターネット１９００を介して、該クライアント装置２２１０に送信されると、上記専用アプリ４２１０によって、該送信された提携店１４００の利用ガイドデータ６０５１が取得されると共に、該クライアント装置２２１０の表示画面に表示され、ユーザに、該提携店１４００の店舗情報や時間ポイントの消費条件などに関するテキストや画像、動画などからなる「提携店利用ガイド」が提供される。
【０１０８】
この様に「提携店利用ガイド」の登録処理と提供方法によって、提携店における時間ポイントの利用（消費）に関する販促企画が効率良くユーザに告知される。
【０１０９】
なお、上述した周知の電波発信器を備えた位置通知装置は、周知の調整方法、即ち、該電波発信器の出力を調整したり、電波の透過率が異なる素材によって覆うなどすることにより、上述したクライアント装置に備えられた周知の電波検知器による該位置通知装置の電波発信器の検知に関する距離、即ち、該位置通知装置と該クライアント装置との検知距離を調整できることは、周知である。
【０１１０】
以上の様にして、ユーザは、時間を単位とする販促ポイントである時間ポイントが発行される加盟店を容易に見つけ、該加盟店において発行される時間ポイントを簡単に貯めることができ、また、該時間ポイントを消費できる提携店を容易に見つけ、貯めた該時間ポイントを該提携店が提供する販促用の商材やサービスと容易に交換することができる。
【０１１１】
本発明によれば、時間に応じて課金するサービス（時間制サービス）を販売する施設系や施術系、ネット系のサービス事業者などが、前述した提携店として、販売対象とする時間制サービスの売価基準、即ち、該時間制サービスの単位時間当たりの売価（円／分）を基に、該時間制サービスによる「販促時間」分を顧客に提供する場合の顧客が支払う時間ポイント数、即ち、該時間制サービスの「販促時間」分に対する時間ポイント売価を算出し、該算出した時間ポイント売価を前述した［「提携店利用ガイド」に関する所定のガイド登録操作］によって消費条件パラメータに登録しておけば、該時間ポイントを保有するユーザに対し自店の販促内容を容易に伝えることができ、また、該販促内容を利用するために来店したユーザに対し該時間ポイント売価の「販促時間」を容易に提供することができる。
【０１１２】
上述した通り、本発明によって時間ポイントを流通させれば、先ず、顧客にとっては、加盟店における「待機時間」に応じて発行される時間ポイントを貯めておけば、提携店において提供される「販促時間」分のサービスに対し貯めておいた時間ポイントから、例えば、該「販促時間」の売価基準によって算出された時間ポイント売価分の時間ポイントを支出（消費）するだけで、該「販促時間」分のサービスを受けられ、結果として、「待機時間」と言う不快な時間を「販促時間」と言う快適な時間に交換することが可能になり、また、商材やサービスが限られた加盟店にとっては、必ずしも、ユーザの再来店とバランスしない発行コストを気にすることなく、更に、発行元と消費先との間における金銭的な精算処理に係るコストを負担することもなく、時間ポイントを介して提供される提携店の販促用商材やサービスによって顧客サービスを充実させることが可能になり、また更に、広告予算が限られた提携店にとっては、時間ポイントを介して顧客との接点を増やしながら販売機会を獲得することが可能になり、結果として、加盟店と提携店が、時間ポイントを介して、相互のビジネスを補完しながら顧客満足を高められると言う、セールスプロモーションの好循環モデルが実現される。
【０１１３】
以上説明した実施例１において、ユーザが操作するスマートフォン（携帯電話）などのクライアント装置は、本発明による専用アプリをインストールするだけで、「時間を貯めて使える」電子的な財布として機能することになるので、加盟店や提携店は、例えば、小型でコストの掛からないＢｌｕｅｔｏｏｔｈ規格の発信器を採用した位置通知装置を設置するだけで、ユーザに対し、時間を単位とする販促ポイントである時間ポイントを発行したり、或いは、ユーザから、該時間ポイントの消費を受け付けることができるので、前述した様な高価なポイント発行装置を設置することなく、加盟店においては、自らは提供し得ない商材やサービスを充足させることが、また提携店においては、コストを掛けず販促機会を獲得することが、該時間ポイントの流通によって実現される。
【０１１４】
なお、時間を単位とする販促ポイントの発行及び消費条件である時間の計測対象は、上述の位置通知装置が発信するＢｌｕｅｔｏｏｔｈ規格の電波に限定されるものではなく、例えば、ＷｉＦｉ規格の電波、或いは、音波などを対象として計測する様に構成することができる。
【０１１５】
また、ユーザの特定場所における所定の経過時間を計測する方法は、上述の位置通知装置を用いる方法に限定されるものではなく、例えば、ユーザが所持する前述のクライアント装置に周知のＧＰＳ受信機を備えたＧＰＳ機能を有するスマートフォン（携帯電話）を採用し、該ＧＰＳ機能によって取得される該クライアント装置の位置情報が前述の専用アプリにおいて取得される構成を付加し、また、前述の加盟店ガイドデータベースや提携店ガイド管理データベースに記録される案内ガイドデータや利用ガイドデータの構成に該位置通知装置の設置場所に相当する位置データを付加し、更に、該案内ガイドデータや利用ガイドデータの業種コードに、ＧＰＳ対応コードとして、例えば、９００番台のコードを割り当てるなどして容易に実現できる。
【０１１６】
上記の様な構成が付加されれば、前述の［「加盟店案内ガイド］の提供方法］や［「提携店利用ガイド」の提供方法］で説明した「サービスメニュー」から「加盟店案内ガイド」や「提携店利用ガイド」の項目選択によって加盟店リストや提携店リストがユーザに提供される方法に加え、後述の［「ＧＰＳ連動ガイド」の提供方法］で説明する方法によって、例えば、ＧＰＳ機能を備えたクライアント装置を所持するユーザの現在位置に応じて、該加盟店リストや提携店リストを自動的に提供することが可能になり、また、この時のクライアント装置と時間管理システムとの通信過程において、該クライアント装置の現在位置と加盟店や提携店の位置情報を逐次照合することが可能になり、前述した位置通知装置が発信する電波とクライアント装置の電波検知器によるユーザの所在確認方法と同等、或いは、同等以上に、ユーザの特定場所における所定の経過時間を計測することが可能になる。
【０１１７】
これは、前述したポイント管理センターの時間管理システムを構成するアプリケーションサーバ装置に以下の様な処理が実行される「ＧＰＳ連動ガイドプログラム」を設け、また、前述したクライアント装置の専用アプリに以下の様な処理が実行される「位置計測プログラム」を設けることによって実現される。
【０１１８】
［「ＧＰＳ連動ガイド」の提供方法］
図７の概要図に示す様に、先ず、周知のＧＰＳ受信機を備えたＧＰＳ機能を有し位置計測プログラム５２２０を含む専用アプリ４２１０がインストールされたクライアント装置２２１０を所持したユーザ１２００が、加盟店１３００や提携店１４００、或いは、その近隣において、該専用アプリ４２１０を起動して、前述の［「加盟店案内ガイド］の提供方法］や［「提携店利用ガイド」の提供方法］で説明した所定のログイン処理を経て表示された「サービスメニュー」から「ＧＰＳ連動ガイド」なる項目を選択すると、該専用アプリ４２１０の位置計測プログラム５２２０が実行され、該実行により、ＧＰＳ機能によって計測される現在位置の測位データがクライアント位置データ２２２０（緯度Ｘc，経度Ｙc）として定期的に取得され、該定期的に取得されたクライアント位置データ２２２０（緯度Ｘc，経度Ｙc）と該専用アプリ４２１０の識別情報４２１１が、インターネット１９００を介して、ポイント管理センター１１００の時間管理システム４１１０に定期的に送信され、該定期的に送信されたクライアント位置データ２２２０（緯度Ｘc，経度Ｙc）と識別情報４２１１が該時間管理システム４１１０において取得されると、該時間管理システム４１１０においてＧＰＳ連動ガイド生成処理が行われる。
【０１１９】
このＧＰＳ連動ガイド生成処理は、上記時間管理システム４１１０を構成するアプリケーションサーバ装置２１２０のＧＰＳ連動ガイドプログラム５１４０によって実行され、該実行により、該取得されたクライアント位置データ２２２０（緯度Ｘc，経度Ｙc）に所定の値αを加減した検索位置データ９００１（緯度Ｘc±α，経度Ｙc±α）を条件とする範囲内の加盟店位置データ８０２１（緯度Ｐxn，経度Ｐyn）を有する案内ガイドＩＤと発行対象データが、また、同範囲内の該提携店位置データ８０３１（緯度Ａxn，経度Ａyn）を有する利用ガイドＩＤと販促規格データが、それぞれ、図１８で示した加盟店ガイドデータベース３０４０や図１９で示した提携店ガイドデータベース３０５０から順次検索され、該検索によって該条件に適合する案内ガイドＩＤ７０４１や利用ガイドＩＤ７０５１が検索されると、該検索された加盟店位置データ８０２１（緯度Ｐxn，経度Ｐyn）を有する案内ガイドＩＤ７０４１と発行対象データ７０４２を含む加盟店リストや提携店位置データ８０３１（緯度Ａxn，経度Ａyn）を有する利用ガイドＩＤ７０５１と販促企画データ７０５２を含む提携店リストが生成され、該生成された加盟店リストや提携店リストが、インターネット１９００を介して、該クライアント装置２２１０に順次送信される。
【０１２０】
この様にして順次送信された加盟店リストや提携店リストは、上記専用アプリ４２１０によって取得されると共に、上記クライアント装置２２１０の表示画面に表示される一方で、該専用アプリ４２１０の位置計測プログラム５２２０によって、該送信された加盟店リストに含まれた上記案内ガイドＩＤ７０４１の加盟店位置データ８０２１（緯度Ｐxn，経度Ｐyn）や提携店リストに含まれた上記利用ガイドＩＤ７０５１の提携店位置データ８０３１（緯度Ａxn，経度Ａyn）が順次取得される。
【０１２１】
［ＧＰＳ機能による時間計測処理］
ここで、図７の概要図に示す様に、上記位置計測プログラム５２２０によって順次取得された上記加盟店位置データ８０２１（緯度Ｐxn，経度Ｐyn）や上記提携店位置データ８０３１（緯度Ａxn，経度Ａyn）は、該位置計測プログラム５２２０によって、順次、ＧＰＳ機能によって計測される現在位置の測位データに基づくクライアント位置データ２２２０（緯度Ｘc，経度Ｙc）と比較され、該加盟店位置データ８０２１（緯度Ｐxn，経度Ｐyn）または提携店位置データ８０３１（緯度Ａxn，経度Ａyn）が、該クライアント位置データ２２２０（緯度Ｘc，経度Ｙc）に所定の値βを加減した滞在位置データ９００２（緯度Ｘc±β，経度Ｙc±β）を条件とする範囲内の位置データであるかどうかについて判定が行われ、例えば、最初に「Ｙｅｓ」判定されると時間の計測が開始され、その後の「Ｙｅｓ」判定において時間計測が継続され、該時間計測の継続中に「Ｎｏ」判定がなされると該時間計測が終了する。
【０１２２】
具体的には、前記所定の値αと上記所定のβの関係について、例えば、αがβより大きい関係（α＞β）に設定されると、上記位置計測プログラム５２２０によって、先ず、図７の（ア）において、前記検索位置データ９００１に関する判定が「Ｙｅｓ」で滞在位置データに関する判定が「Ｎｏ」なので、前記クライアント装置２２１０の表示画面には前記専用アプリ４２１０によって加盟店リストや提携店リストが表示されるが、次の図７の（イ）において、該検索位置データ９００１に関する判定が「Ｙｅｓ」で上記滞在位置データ９００２に関する判定も「Ｙｅｓ」となり、かつ、該滞在位置データ９００２に関する判定が最初の「Ｙｅｓ」判定なので、時間計測が開始され、また、該クライアント装置２２１０が図７の（イ）に所在する限り、該検索位置データ９００１に関する判定と該滞在位置データ９００２に関する判定が「Ｙｅｓ」となるので、該時間計測が継続され、更に、次の図７の（ウ）においては、αとβの関係（α＞β）から、該検索位置データ９００１に関する判定は「Ｙｅｓ」となるが該滞在位置データ９００２に関する判定は「Ｎｏ」となり、該時間計測は終了する。
【０１２３】
この様に、ＧＰＳ機能と前記位置計測プログラム５２２０を用いた方法によっても、ユーザの特定場所における所定の経過時間を計測することができるので、該方法によって、前述の［時間計測処理に基づく発行ポイントの算出処理］や［時間計測処理に基づく消費ポイントの算出処理］で説明した様な時間ポイントを算出することも可能になる。
【０１２４】
なお、上述した専用アプリ４２１０においてＧＰＳ機能を用いてクライアント装置の位置情報を取得する位置計測プログラムは、本発明の出願時点において公開されている様々なＡＰＩ（アプリケーション・プログラミング・インターフェイス）を活用し、ＪａｖａやＣ、Ｃ＋＋などのプログラム言語を用いて開発することができ、Ｗ３Ｃ（World Wide Web Consortium）が仕様を定めるＧｅｏｌｏｃａｔｉｏｎを使った代表的なＡＰＩとして、例えば、図８に示した、Ｇｏｏｇｌｅ社の「Ｇｏｏｇｌｅ Ｍａｐｓ ＪａｖａＳｃｒｉｐｔ ＡＰＩ（https://developers.google.com/maps/documentation/javascript/examples/map-geolocation?hl=ja）」を掲げることができる。
【０１２５】
また、ここまで説明した本発明の実施例１を参考すれば、前述の位置通知装置や位置データによって加盟店や提携店の所在地を取得し、また、前述の電波検知器やＧＰＳ機能を備えたクライアント装置によってユーザの現在位置を取得する様に構成できるので、例えば、遠方から来店してくれるユーザにより多くの時間ポイントが発行される販促サービスを容易に企画できる。
【０１２６】
この様な販促サービスは、前述の［「ＧＰＳ連動ガイド」の提供方法］や［ＧＰＳ機能による時間計測処理］で説明した方法によれば、以下の様に構成できる。
【０１２７】
先ず、ユーザが、クライアント装置の専用アプリによって提供される「サービスメニュー」の「ＧＰＳ連動ガイド」から加盟リストや提携店リストを取得して上記の様な販促サービスを行う加盟店を選択すると、該選択された加盟店の案内ガイドに、例えば、「今から訪問」なるフォームボタンが提供され、該フォームボタンがサブミットされると、該サブミット時点におけるクライアント位置データと該専用アプリの識別情報が時間管理システムに送信され、該送信された時点のクライアント位置データ（緯度Ｘc，経度Ｙc）と該加盟店の加盟店位置データ（緯度Ｐxn，経度Ｐyn）に基づく前記所定の値αが定められて時間の計測が開始されると共に、該計測開始時刻（Ｔs）が取得され、該クライアント位置データ（緯度Ｘc，経度Ｙc）が前述した検索位置データ（緯度Ｘc±α，経度Ｙc±α）の範囲内にある限り該時間計測が継続される。
【０１２８】
次に、上記ユーザが上記加盟店に到着すると、例えば、該加盟店の位置通知装置が上記クライアント装置によって検知された時点、或いは、該加盟店の加盟店位置データ（緯度Ｐxn，経度Ｐyn）と該ユーザの到着時点における該クライアント装置のクライアント位置データ（緯度Ｘc，経度Ｙc）が前述した滞在位置データ（緯度Ｘc±β，経度Ｙc±β）の範囲内で一致した時点で時間計測が終了すると共に、該計測終了時刻（Ｔe）が取得される。
【０１２９】
以上の様にして、例えば、上記計測開始時刻（Ｔs）における上記クライアント位置データ（緯度Ｘc，経度Ｙc）から上記加盟店の加盟店位置データ（緯度Ｐxn，経度Ｐyn）までを車で移動した時の通常時間に対して前述の調整時間（Ｃt）を定めれば、該計測開始時刻（Ｔs）と該計測終了時刻（Ｔe）と該調整時間（Ｃt）に基づく時間ポイントが発行される構成によって、前記販促サービスを容易に企画できる。
【０１３０】
上記の様な販促サービスが、地域に散在する弱小の商店などによって企画されれば、多少距離があってもユーザの来店が誘導される可能性が生まれ、地域の活性化にも貢献できる。
【実施例２】
【０１３１】
本発明の実施例２では、時間を単位とする販促ポイントが、ユーザの特定操作に関する所定の経過時間を計測して発行または消費されることを特徴とする。
【０１３２】
時間を単位とする販促ポイントが発行される本発明の中核技術、即ち、特定の経過時間が取得される技術は、上述の実施例１で規定される位置通知装置やＧＰＳ機能を用いたクライアント装置の専用アプリによって取得される計測開始時刻（Ｔs）と計測終了時刻（Ｔe）、即ち、ユーザの特定場所における所定の経過時間を計測する構成に限定されるものではなく、例えば、ネットショップのＷｅｂサーバシステム（ＥＣシステム）において、商品を注文してから該商品が届くまでの商品注文に関する経過時間、或いは、ネット広告のＷｅｂサーバシステム（ネット広告配信システム）において、広告コンテンツの視聴を開始してから該視聴を終了するまでの広告視聴に関する経過時間、または、ネットゲームのＷｅｂサーバシステム（ネットゲームシステム）において、ゲームを開始してから該ゲームを終了するまでのゲーム操作に関する経過時間など、ユーザの特定操作に関する所定の経過時間を計測して構成することもできる。
【０１３３】
また、前述した実施例１の［時間計測処理に基づく発行ポイントの算出処理］や［時間計測処理に基づく消費ポイントの算出処理］で説明した時間ポイントの発行数や消費数の算出についても、前述の専用アプリを構成するポイント発行プログラムやポイント消費プログラムによる算出に限定されるものではなく、例えば、該ポイント発行プログラムや該ポイント消費プログラムと同等の算出機能を、時間管理システムを構成するアプリケーションサーバ装置の条件管理プログラムに設けることによって構成することができる。
【０１３４】
先ず、ネットショップにおける商品注文に関する時間を計測する方法について、以下、図面を参照しながら詳細に説明する。
【０１３５】
図９の概要図で示す様に、ユーザのＷｅｂブラウザを備えたＰＣや前述したクライアント装置２２１０とネットショップのＷｅｂサーバシステムであるＥＣシステム４３１０とポイント管理センター１１００の時間管理システム４１１０が、インターネット１９００を介したＷｅｂネットワークによって接続され、また、上述の実施例１で説明した専用アプリ４２１０を構成するポイント発行プログラム５２３０の時刻設定パラメータ７２３１に相応する時間計測パラメータ７３１１が、周知のＷｅｂ−ＡＰＩ（アプリケーション・プログラミング・インターフェイス）によって、該ネットショップのＥＣシステム４３１０と該時間管理システム４１１０との間で送受信される構成に、例えば、該ネットショップを本発明の実施例１における［「加盟店案内ガイド」の提供方法］で説明した「加盟店案内ガイド」の加盟店リストに掲載される加盟店に対応させ、ユーザ１２００に、該Ｗｅｂブラウザを備えたＰＣや該クライアント装置２２１０によって、前述した所定のログイン処理を経て該ネットショップのＥＣシステム４３１０にアクセスさせる構成を付加すれば、該ユーザ１２００によって商品注文を確定する「オーダ」ボタンがクリックされると、該商品注文に関するオーダ情報が該ネットショップのＥＣシステム４３１０によって取得され、該取得された時刻が計測開始時刻（Ｔs）として該時間計測パラメータ７３１１の開始時刻フィールドにセットされると共に、インターネット１９００を介して、該時間管理システム４１１０において該計測開始時刻（Ｔs）が取得され、また、該ネットショップが宅配業者を使って該注文された商品をユーザに発送し、例えば、該宅配業者の宅配システムから配達完了通知が該ネットショップのＥＣシステム４３１０に送信されると、該配達完了通知が該ネットショップのＥＣシステム４３１０において取得され、該取得された時刻が計測終了時刻（Ｔe）として該時間計測パラメータ７３１１の終了時刻フィールドにセットされると共に、インターネット１９００を介して、該時間管理システム４１１０において該計測終了時刻（Ｔe）が取得され、該ネットショップにおける該ユーザによる商品注文に関する時間を計測することができる。
【０１３６】
ここで、上記のＷｅｂ‐ＡＰＩに関しては、本発明の出願時点において、例えば、日経コンピュータのＩＴｐｒo （http://itpro.nikkeibp.co.jp/article/Keyword/20070829/280600/）に、「Ｗｅｂ−ＡＰＩとは，Ｗｅｂサイトなどの開発を効率的に行うための技術である。」「ＡＰＩは、Application Programming Interfaceの略で、アプリケーションの開発者が、他のハードウエアやソフトウエアの提供している機能を利用するための手法である。」「Ｗｅｂ−ＡＰＩは、Ｗｅｂサイトなどの開発のために、インターネット経由で利用できるＡＰＩである」「Ｗｅｂ−ＡＰＩでは、ＡＰＩを公開する側と利用する側で命令やデータをやりとりする技術として、ＳＯＡＰやＲＥＳＴと呼ばれる技術を使う。これらは，ＨＴＴＰなどのプロトコルを使って、ＸＭＬ形式のデータをやりとりするためのしくみである。こうしたインターネットの標準的な技術を使うため、開発や利用に特定の環境を要求しないという柔軟性がＷｅｂ−ＡＰＩの特徴の一つだ。」と記載され、また、Ｇｏｏｇｌｅ Ｍａｐｓ ＡＰＩ ウェブサービス（https://developers.google.com/maps/documentation/webservices/?hl=ja）には、以下の様に記載されている。
【０１３７】
「ウェブ サービスについて ／ Ｇｏｏｇｌｅ Ｍａｐｓ ＡＰＩによって提供されるウェブ サービスは、外部のサービスからＭａｐｓＡＰＩデータをリクエストしたり、地図アプリケーションでＭａｐｓＡＰＩデータを使用するためのインターフェースとして機能します。これらのサービスは、ＭａｐｓＡＰＩデータ利用規約のライセンス制限の下で、地図と組み合わせて使用するように設計されています。 ／ これらのウェブサービスでは、特定のＵＲＬへのＨＴＴＰリクエストを使用し、引数としてＵＲＬパラメータをサービスに渡します。通常、これらのサービスは、アプリケーションで解析や処理ができるように、ＨＴＴＰリクエストに対するデータをＪＡＳＯＮまたはＸＭＬで返します。 ／ 一般的なウェブサービスリクエストは、次のような形式です: http://maps.googleapis.com/maps/api/service/output?parameters 
ｓｅｒｖｉｃｅはリクエストする特定のサービスを示し、ｏｕｔｐｕｔはレスポンスの形式（通常はｊｓｏｎまたはｘｍｌ）を示します。」
【０１３８】
［ネットショップにおけるＷｅｂ−ＡＰＩによる計測時間の取得］
この様な周知のＷｅｂ−ＡＰＩに関する技術を用い、例えば、図９の概要図で示した様に、前記ネットショップを実施例１の加盟店に見立てた該ネットショップの加盟店ＩＤ７０２１（図１６）にＷｅｂ−ＡＰＩ用のパラメータとして”ｓｈｏｐ＿ｉｄ”を対応させ、また、該ネットショップのＥＣシステム４３１０を実施例１の位置通知装置に見立てた該ＥＣシステム４３１０の識別情報２３２１（図２０）にＷｅｂ−ＡＰＩ用のパラメータとして”ｅｃｓｙｓ＿ｉｄ”を対応させ、更に、該ネットショップのユーザを実施例１のユーザ１２００に見立てた該ユーザ１２００のユーザＩＤ７０１１（図１５）にＷｅｂ−ＡＰＩ用のパラメータとして”ｕｓｅｒ＿ｉｄ”を対応させ、また更に、該ＥＣシステム４３１０におけるオーダ情報の取得時刻、即ち、前記計測開始時刻（Ｔs）にＷｅｂ−ＡＰＩ用のパラメータとして”１ｓｔｔｉｍｅ”を、該ＥＣシステム４３１０における配達完了通知の取得時刻、即ち、前記計測終了時刻（Ｔe）にＷｅｂ−ＡＰＩ用のパラメータとして”２ｎｄｔｉｍｅ”を、それぞれ対応させれば、前記時間管理システム４１１０は、これらＷｅｂ−ＡＰＩ用のパラメータを介して、該ネットショップのＥＣシステム４３１０から、該”１ｓｔｔｉｍｅ”の値を該時間計測パラメータ７３１１の開始時刻フィールドの値として、また、該”２ｎｄｔｉｍｅ”の値を該時間計測パラメータ７３１１の終了時刻フィールドの値として、容易に取得することができる。
【０１３９】
具体的には、図９で示した様に、例えば、該時間管理システム４１１０を構成するアプリケーションサーバ装置２１２０に、周知のＨＴＭＬ言語とＪａｖａＳｃｒｉｐｔやＰＨＰ、Ｐｅｒｌ、Ｊａｖａ、ＣやＣ++などのプログラム言語によって開発されたＷｅｂ−ＡＰＩ対応プログラム５１５０を設け、先ず、前記ネットショップのＥＣシステム４３１０による前記オーダ情報の取得時に、上記ネットショップの加盟店ＩＤ７０２１（図１６）に対応する”ｓｈｏｐ＿ｉｄ”の値と、上記ＥＣシステム４３１０の識別情報２３２１（図２０）に対応する”ｅｃｓｙｓ＿ｉｄ”の値と、上記ユーザのユーザＩＤ７０１１（図１５）に対応する”ｕｓｅｒ＿ｉｄ”の値及び、該オーダ情報の取得時刻である上記計測開始時刻（Ｔs）に対応する”１ｓｔｔｉｍｅ”の値に関するＸＭＬコードが、該時間管理システム４１１０によって定められる仕様に基づいて出力され、また、該ＥＣシステム４３１０による前記配達完了通知の取得時に、該ユーザＩＤ７０１１に対応する”ｕｓｅｒ＿ｉｄ”の値と該配達完了通知の取得時刻である上記計測終了時刻（Ｔe）に対応する”２ｎｄｔｉｍｅ”の値に関するＸＭＬコードが、該時間管理システム４１１０によって定められる仕様に基づいて出力され、順次、他のユーザについても同様の処理が行われ、例えば、図９の（ア）で示す、以下の様な「ネットショップ用ＸＭＬファイル（ｎｅｔｓｈｏｐ−０１.ｘｍｌ）」が、該ネットショップのＥＣシステム４３１０において、記憶装置やメモリなどに一時保存されるなどして準備される。
【０１４０】
<?xml ver=""netshop api 1.0"" ?>
<shop>
<timedata>
<shop_id>pt01001（※ネットショップの加盟店ＩＤ７０２１）</shop_id>
<ecsys_id>wp01001（※ＥＣシステム４３１０の識別情報２３２１）</ecsys_id>
<user_id>us00001（※ネットショップユーザのユーザＩＤ７０１１）</user_id>
<1sttime>20141010180101（※オーダ情報の取得時刻＝計測開始時刻Ｔs）</1sttime>
<2ndtime>20141011120101（※配達完了通知の取得時刻＝計測終了時刻Ｔe）</2ndtime>
</timedata>
・・・・・
<timedata>
<shop_id>pt01001</shop_id>
<ecsys_id>wp01001</ecsys_id>
<user_id>us00102（※次のユーザに関する）</user_id>
<1sttime>20141015201010</1sttime>
<2ndtime>20141017101515</2ndtime>
</timedata>
・・・・・
</shop>
【０１４１】
ここで、上記時間管理システム４１１０において、例えば、図９の（イ）で示す、周知のＨＴＭＬ言語とＪａｖａＳｃｒｉｐｔによる以下の様な「ネットショップ用Ｗｅｂ−ＡＰＩコード」を含むＷｅｂ−ＡＰＩ対応プログラム５１５０が定期的または随時に実行されると、
【０１４２】
// ---------------
//  HTML 
// ---------------
<div id=""timedata"">
<ul></ul>
</div>
// ---------------
//  JavaScript
// ---------------
$(function(){
$.ajax({
url:'http://www.netshop.com/api/netshop-01.xml',
type:'GET',
dataType:'xml',
timeout:1000,
error:function() {
alert(""loading error !!!"");
},
success:function(xml){
$(xml).find(""timedata"").each(function() {
$(""#timedata ul"").append('<li> +
$(this).find('shop_id').text() +
$(this).find('ecsys_id').text() +
$(this).find('user_id').text() +
$(this).find('1sttime').text() +
$(this).find('2ndtime').text() +
'</li>');
});
}
});
});
【０１４３】
該時間管理システム４１１０において、上記計測開始時刻（Ｔs）が「１ｓｔｔｉｍｅ」によって、また、上記計測終了時刻（Ｔe）が「２ｎｄｔｉｍｅ」によって、それぞれ定期的または随時に取得される。
【０１４４】
そして、図９で示す様に、上記時間管理システム４１１０において取得された上記計測開始時刻（Ｔs）と上記計測終了時刻（Ｔe）に基づく時間ポイントは、前述の構成、即ち、専用アプリのポイント発行プログラムやポイント消費プログラムと同等の算出機能を有する該時間管理システム４１１０の条件管理プログラム５１２０によって、上記ＥＣシステム４３１０の識別情報２３２１に基づき、加盟店ガイドデータベース３０４０から発行対象データ７０４２（図１８）と発行条件パラメータ７０４３（図１８）からなる案内ガイドデータ６０４１（図１８）が抽出され、また、該発行対象データ７０４２に設定された対象時間データ８０４２（図１８）と該発行条件パラメータ７０４３に基づき、時間ポイントの発行数が、実施例１の［時間計測処理に基づく発行ポイントの算出処理］で説明した算出方法と同様にして算出され、更に、実施例１の［時間ポイントの発行履歴データ管理処理］で説明したポイント発行履歴データの記録方法と同様にして、該ユーザのユーザＩＤ７０１１と該ＥＣシステム４３１０の識別情報２３２１及び、該算出された時間ポイントの発行数からなる時間ポイントの発行に関する履歴データが、ポイント管理データベース３０７０に記録される。
【０１４５】
また、この様にして発行された時間ポイントに関する情報は、以下の様なＷｅｂ−ＡＰＩコードによって、上記ネットショップのユーザに提供することができる。
【０１４６】
具体的には、前記ネットショップのＥＣシステム４３１０がユーザに提供するネットショッピングに関するＷｅｂページを構成するＨＴＭＬリソースに、例えば、図９の（ウ）で示す、前述の一般的なウェブサービスリクエストを用いた以下の様なコードが付加されることによって、ユーザのＷｅｂブラウザを備えたＰＣやクライアント装置２２１０を前記Ｗｅｂ−ＡＰＩ対応プログラム５１５０を設えた時間管理システム４１１０に自動的にアクセスさせる様な構成によって実現される。
【０１４７】
http://timeserver.adazro.com/api/timewallet/Search?key=TimePoint&user_id=us00001&shop_id=pt01001
或いは、ＪａｖａＳｃｒｉｐｔを用いた以下の様なコードを付加することによっても実現できる。
【０１４８】
<script type=""text/javascript""
src=""http://timeserver.adazro.com/api/timewallet/Search?key=TimePoint&user_id=us00001&shop_id=pt01001"">
</script> 
【０１４９】
なお、上記のコードは、例えば、”ｔｉｍｅｓｅｒｖｅｒ.ａｄａｚｅｒｏ.ｃｏｍ”で指定される上記時間管理システム４１１０に対し、”ａｐｉ／”にある”ｔｉｍｅｗａｌｌｅｔ”なる上記Ｗｅｂ−ＡＰＩ対応プログラム５１５０を実行して、”ｕｓ００００１”のユーザＩＤ７０１１と”ｐｔ００００１”の加盟店ＩＤ７０２１からなる”ｋｅｙ＝ＴｉｍｅＰｏｉｎｔ”に関する情報を提供する様に要求する、ウェブサービスリクエストに相当する。
【０１５０】
また、図９で示す様に、上記計測終了時刻（Ｔe）が時間管理システム４１１０において取得される方法については、上記ユーザ１２００に、実施例１で説明したＢｌｕｅｔｏｏｔｈ規格の電波を検知する周知の電波検知器と周知のＧＰＳ機能を備えたスマートフォン（携帯電話）やタブレットＰＣなどの携帯端末であって、該電波検知器の電波受信状態を監視しながら時間計測を行う受信計測プログラムと該ＧＰＳ機能によって計測される現在位置の測位データを取得しながら時間計測を行う位置計測プログラム及び時間ポイントの発行管理を行うためのポイント発行プログラムや時間ポイントの消費管理を行うためのポイント消費プログラムからなる専用アプリがインストールされたクライアント装置２２１０を保有させ、また、宅配業者の配達員に実施例１で説明したＢｌｕｅｔｏｏｔｈ規格の電波を発信する位置通知装置を所持させれば、該宅配業者の配達員は加盟店に見立てた上記ネットショップに属し、また、該配達員が所持する該位置通知装置は該ネットショップの位置通知装置２３２０に相当するので、上述した様な、該宅配業者の宅配システムと該ネットショップのＥＣシステム４３１０との通信を経由する構成に比べ、より簡便に構成できる。
【０１５１】
この場合、該時間管理システム４１１０は、実施例１の［ユーザによる所定の消費操作］で図３を用いて説明した、専用アプリ４２１０によって送信される位置通知装置２３２０の識別情報２３２１と該専用アプリ４２１０の識別情報４２１１を受信した時刻を上記の計測終了時刻（Ｔe）として取得することになる。
【０１５２】
［ネット広告におけるＷｅｂ−ＡＰＩによる計測時間の取得］
次に、ネット広告における広告視聴に関する時間を計測する方法について、以下図面を参照しながら詳細に説明する。
【０１５３】
図１０の概要図で示す様に、ユーザのＷｅｂブラウザを備えたＰＣや前述したクライアント装置２２１０とネット広告企業のＷｅｂサーバシステムである広告配信システム４４１０とポイント管理センター１１００の時間管理システム４１１０が、インターネット１９００を介したＷｅｂネットワークによって接続され、また、上述の実施例１で説明した専用アプリ４２１０を構成するポイント発行プログラム５２３０の時刻設定パラメータ７２３１に相応する時間計測パラメータ７４１１が、前述のＷｅｂ−ＡＰＩによって、該ネット広告企業の広告配信システム４４１０と該時間管理システム４１１０との間で送受信される構成に、例えば、該ネット広告企業を本発明の実施例１における［「加盟店案内ガイド」の提供方法］で説明した「加盟店案内ガイド」の加盟店リストに掲載される加盟店に対応させ、ユーザ１２００に、該Ｗｅｂブラウザを備えたＰＣや該クライアント装置２２１０によって、前述した所定のログイン処理を経て該ネット広告企業の広告配信システム４４１０にアクセスさせる構成を付加すれば、該ユーザ１２００によって該広告配信システム４４１０が配信する動画広告が再生されることを示す「再生開始」ボタンがクリックされると、該動画広告の再生開始情報が該ネット広告企業の広告配信システム４４１０によって取得され、該取得された時刻が計測開始時刻（Ｔs）として該時間計測パラメータ７４１１の開始時刻フィールドにセットされると共に、インターネット１９００を介して、該時間管理システム４１１０において該計測開始時刻（Ｔs）が取得され、また、該ユーザのクライアント装置において該動画広告の再生が終了すると、該動画広告の再生終了情報が該ネット広告企業の広告配信システム４４１０によって取得され、該取得された時刻が計測終了時刻（Ｔe）として該時間計測パラメータ７４１１の終了時刻フィールドにセットされると共に、インターネット１９００を介して、該時間管理システム４１１０において該計測終了時刻（Ｔe）が取得され、該ネット広告企業における該ユーザによる広告視聴に関する時間を計測することができる。
【０１５４】
具体的には、図１０で示した様に、例えば、該時間管理システム４１１０を構成するアプリケーションサーバ装置２１２０に前述のＷｅｂ−ＡＰＩ対応プログラム５１５０を設け、先ず、前記ネット広告企業の広告配信システム４４１０による前記再生開始情報の取得時に、前述と同様にして、加盟店に見立てたネット広告企業の加盟店ＩＤ７０２１（図１６）に対応する”ｓｈｏｐ＿ｉｄ”の値と、位置通知装置に見立てた該広告配信システム４４１０の識別情報２３２１（図２０）に対応する”ａｄｓｙｓ＿ｉｄ”の値と、ユーザに見立てた該ネット広告企業の広告を視聴するユーザのユーザＩＤ７０１１（図１５）に対応する”ｕｓｅｒ＿ｉｄ”の値及び、該再生開始情報の取得時刻である上記計測開始時刻（Ｔs）に対応する”１ｓｔｔｉｍｅ”の値に関するＸＭＬコードが、該時間管理システム４１１０によって定められる仕様に基づいて出力され、また、該広告配信システム４４１０による前記再生終了情報の取得時に、該ユーザＩＤ７０１１に対応する”ｕｓｅｒ＿ｉｄ”の値と該再生終了情報の取得時刻である上記計測終了時刻（Ｔe）に対応する”２ｎｄｔｉｍｅ”の値に関するＸＭＬコードが、該時間管理システム４１１０によって定められる仕様に基づいて出力され、順次、他のユーザについても同様の処理が行われ、例えば、図１０の（ア）で示した「ネット広告企業用ＸＭＬファイル（ａｄｃｏｍ−０１.ｘｍｌ）」が、該ネット広告企業の広告配信システム４４１０において、記憶装置やメモリなどに一時保存されるなどして準備される。
【０１５５】
ここで、上記時間管理システム４１１０において、例えば、図１０の（イ）で示した「ネット広告企業用Ｗｅｂ−ＡＰＩコード」を含む上記Ｗｅｂ−ＡＰＩ対応プログラム５１５０が定期的または随時に実行されると、該時間管理システム４１１０において、上記計測開始時刻（Ｔs）が「１ｓｔｔｉｍｅ」によって、また、上記計測終了時刻（Ｔe）が「２ｎｄｔｉｍｅ」によって、それぞれ定期的または随時に取得される。
【０１５６】
そして、図１０で示す様に、時間管理システム４１１０において取得された上記計測開始時刻（Ｔs）と上記計測終了時刻（Ｔe）に基づく時間ポイントは、前述の構成、即ち、専用アプリのポイント発行プログラムやポイント消費プログラムと同等の算出機能を有する該時間管理システム４１１０の条件管理プログラム５１２０によって、上記広告配信システム４４１０の識別情報２３２１に基づき、加盟店ガイドデータベース３０４０から発行対象データ７０４２（図１８）と発行条件パラメータ７０４３（図１８）からなる案内ガイドデータ６０４１（図１８）が抽出され、また、該発行対象データ７０４２に設定された対象時間データ８０４２（図１８）と該発行条件パラメータ７０４３に基づき、時間ポイントの発行数が、実施例１の［時間計測処理に基づく発行ポイントの算出処理］で説明した算出方法と同様にして算出され、更に、実施例１の［時間ポイントの発行履歴データ管理処理］で説明したポイント発行履歴データの記録方法と同様にして、該ユーザのユーザＩＤ７０１１と該広告配信システム４４１０の識別情報２３２１及び、該算出された時間ポイントの発行数からなる時間ポイントの発行に関する履歴データが、ポイント管理データベース３０７０に記録される。
【０１５７】
また、この様にして発行された時間ポイントに関する情報は、図１０の（ウ）「Ｗｅｂ−ＡＰＩコードによる時間ポイント情報の提供」で示したＷｅｂ−ＡＰＩコードによって、前述の［ネットショップにおけるＷｅｂ−ＡＰＩによる計測時間の取得］で説明した方法と同様にして、上記ネット広告企業の広告を視聴するユーザに提供することができる。
【実施例３】
【０１５８】
ここまで述べた様に、本発明の実施例１は、時間を単位とする販促ポイントが、ユーザの特定場所における所定の経過時間を計測して発行または消費させる時間ポイントであることを特徴とし、また、実施例２は、時間を単位とする販促ポイントが、ユーザの特定操作に関する所定時間を計測して発行または消費させる時間ポイントであることを特徴としたが、本発明の実施例３では、この様な時間ポイントを保有するユーザと広告の視聴を希望するスポンサとの該時間ポイントに関する取引（売買）を介して、該ユーザの属性データや該時間ポイントの履歴データに基づく、従来にない広告方法が提供されることを特徴とする。
【０１５９】
社会のグローバル化と情報化によって、基本的生活需要の代名詞「衣食住」が、ファッションやグルメ、リビングアメニティなど、よりアクティブな表現に変化する中、可処分時間の増大化に伴い、ヘルス＆カルチャーやレジャー、スポーツなどの付加的生活欲求がライフスタイルに浸透しつつあり、本発明による実施例１や実施例２における時間ポイントは、この様なライフスタイル要素に係るユーザの特定場所や特定操作に関する所定の経過時間に応じて発行される時間を単位とする販促ポイントであって、本発明による実施例３は、正しく、この様なライフスタイル要素と時間ポイントの発行履歴データとの適合性に基づく「行動ターゲティング広告」を可能にするものである。
【０１６０】
上記の「行動ターゲッティング広告」とは、例えば、コトバンク（朝日新聞提供）やＷｉｋｉｐｅｄｉａなどによれば、「インターネットを利用した広告の一種で、個人のウェブサイトの閲覧履歴やサーチエンジンの検索履歴に基づき、各自の好みに合った広告を配信」することであって、「広告の対象となる顧客の行動履歴を元に、顧客の興味関心を推測し、ターゲットを絞ってインターネット広告配信を行う手法」であり、ほとんどの広告スポンサや広告メディア企業は、通常、その様な顧客の行動履歴に関する情報を入手するため膨大なマーケティングコストを費やしているところ、この膨大なマーケティングコストが顧客に対し合理的に提供されることは、極めて稀である。
【０１６１】
本発明の実施例３における「行動ターゲティング広告」は、ユーザとスポンサとの間における時間ポイントの売買によって構成されることを特徴とし、更に、該時間ポイントの売買、即ち、スポンサの広告コンテンツに対するユーザの視聴時間と該ユーザの時間ポイントが時間の単位によって交換されると共に、該交換された時間の単位と貨幣の単位との換算レートに基づく買取金額が該スポンサから該ユーザに支払われる、該時間ポイントの売買において、該換算レートを定めるスポンサに対し、上記のライフスタイル要素と売買される時間ポイントの発行履歴データとの適合性に関する「ターゲティングガイド」が提供される構成の付加によって、該「行動ターゲティング広告」がユーザの能動的な情報提供によって合理的に実施されることを特徴とする。
【０１６２】
ここで、本出願の発明者は、既に、特許出願「ポイント買取システム」（特願２０００ー４２０８８、２０００年２月１８日出願）において、「ユーザは、端末１１０から販促ポイントサーバ装置１０２を通じて、店舗固有の販促ポイントの発行を受け又は消費でき、また、販促ポイントを店舗に依存せずに流通する電子チケットに交換してもらうことができる。ユーザは、この電子チケットを使って、端末１１９から電子チェック発行ゲームサーバ装置１２０にアクセスしてゲーム等ができ、電子チェックの発行を受けられる。更にユーザは、この電子チェックを使って、端末１２１から電子チェック消費サーバ装置１２２にアクセスして、商品や景品を注文できる。」ということを開示し、発行元が異なる販促ポイントを交換したり、買い取ることによって、企業間の対顧客サービスを相互に補完させる技術について、詳細に解説している。
【０１６３】
また、本出願の発明者に権利化された、特許第３８８１３２５号「電子チップ流通システム」（原出願１９９９年５月２０日）の請求項１には、「販売促進用電子チップの流通及び交換レート等を制御するコンピュータを有する電子チップ管理システムにおいて、上記電子チップ管理システム内には、各種ゲームホームページ、またはクイズホームページを提供し、上記各種ホームページに対する回答等を含むユーザからのフォームデータを受け付け、該フォームデータにより電子チップ発行管理サーバ装置に企業ＩＤ、ゲーム種別、交換レート及び有効期限を要求すると共に、該要求に対する返信情報によりチップ発行数を算出するコンピュータである電子チップ発行ゲームサーバ装置と、電子チップ発行条件データベースを有し、該データベース内の上記要求された企業ＩＤ、ゲーム種別、交換レート及び有効期限を前記電子チップ発行ゲームサーバ装置に返信すると共に、その後該ゲームサーバ装置より送信された前記チップ発行数により上記データベースの内チップ発行数フィールドの内容を更新するコンピュータである電子チップ発行管理サーバ装置と、各サーバ装置より送信された上記チップ発行数、有効期限及びユーザＩＤによりデータベースを管理するコンピュータである電子チップ履歴管理サーバ装置と、あらかじめ広告企業クライアント装置から入力されて電子チップ発行管理サーバ装置のデータベースに格納されている企業ＩＤ、電子チップに関するゲーム種別、チップ上限数、交換レート及び有効期限に基づき、該企業ＩＤ及び前記ゲーム種別に対応する広告企業のホームページをユーザクライアント装置に送信するコンピュータである広告企業ＷＷＷサーバ装置とを有し、ユーザが上記ゲームホームページ、またはクイズホームページに対して回答すると、該回答を含むフォームデータがユーザクライアント装置から電子チップ発行ゲームサーバ装置に送られ、該電子チップ発行ゲームサーバ装置は受信したフォームデータに対応する広告企業のホームページを表示する命令を生成して広告企業ＷＷＷサーバ装置に広告企業のホームページを表示させ、該広告企業のホームページに前記ゲームまたはクイズの正解が表示されると共に、前記電子チップ発行ゲームサーバ装置が前記フォームデータの回答に対応するチップ発行数を算出して電子チップ発行管理サーバ装置に送信することによりユーザが電子チップをもらうことができ、さらに前記広告企業の広告が正解と共に前記広告企業のホームページに表示されてユーザが提供された該広告を見ることになるサービスを各サーバが連携して提供することを特徴とする電子チップ管理システム。」と記載され、電子チップ（電子的な販促ポイント）に関するユーザ操作の履歴管理に基づき効果的な広告が行える技術が開示している。
【０１６４】
以上から、本発明の実施例３は、上述の特許出願「ポイント買取システム」（特願２０００−４２０８８、出願２０００年２月１８日）と特許「電子チップ流通システム」（第３８８１３２５号、現出願１９９９年５月２０日）の「電子チップ」に本発明による時間を単位とする販促ポイントを適用する一方で、該特許出願「ポイント買取システム」や特許「電子チップ流通システム」では開示されていない以下の様な機能が付加されて構成される。
【０１６５】
即ち、本発明の実施例１や実施例２で説明した技術に基づきユーザに発行された時間ポイントが、広告スポンサによって買い取られる機能であって、例えば、実施例１の［「提携店利用ガイド」に関する所定の登録操作］で説明した「サービスメニュー」において「広告視聴ガイド」が提供され、該「広告視聴ガイド」から特定の広告コンテンツがユーザによって選択され、該選択された特定のコンテンツが、該ユーザによって所定の視聴時間（Ｖt）視聴されると、該視聴時間（Ｖt）に相応する該ユーザの時間ポイントが、該特定の広告コンテンツを配信するスポンサによって定められた時間の単位と貨幣の単位との換算レートに基づいて自動的に買い取られ、その対価が後述の電子チェックによってユーザに支払われる機能が付加される。
【０１６６】
なお、上記の電子チェックは、加盟店や提携店での通常の商品購入やサービス利用、或いは、周知のＡＴＭなどから所定の方法によって現金引出しができる電子式前払い証票であって、広告スポンサによる時間ポイントの買い取り資金によって担保され、ポイント管理センターによって管理、提供される。
【０１６７】
この様な広告視聴に基づく時間ポイントの買取りに関する機能は、本発明による実施例１の機能と連携されることにより、（１）ユーザに対しては、通常の消費生活や社会手続きの場面で遭遇する「供給」や「混雑」、「超過」に係る「待機時間」を時間ポイントで気軽に貯めておくだけで、該時間ポイントによって具体的な経済価値を獲得する機会が与えられ、また、（２）広告スポンサに対しては、例えば、ポイント管理センターが提供する時間ポイントの発行履歴データの例示を基に広告視聴と引換えに買い取る時間ポイントの買価をユーザに提示することで、効果的かつ合理的な広告配信を行える機会が与えられ、更に、（３）加盟店に対しては、販促ポイントの発行に係るコストを掛けず気軽に発行してきた時間ポイントに具体的な経済価値が付与され、顧客満足を高められるだけでなく、提携店と共に、電子チェックを得たユーザに対する新たな販売機会が与えられることになる。
【０１６８】
また、広告視聴に基づく時間ポイントの買取りに関する機能の具体的イメージとしては、先ず、インターネットを使った広告配信を行う企業などのスポンサが、Ｗｅｂブラウザを備えたＰＣなどのクライアント装置によって、ポイント管理センターが公開するＷｅｂページにアクセスし、所定のログイン操作によってログインすると、該クライアント装置のＷｅｂブラウザにおいて、「広告視聴ガイド」に広告視聴用のコンテンツを登録できる広告視聴コンテンツ登録フォームが提供され、該スポンサが所定の視聴ガイド登録操作によって時間ポイントを保有するユーザに提供するための広告視聴コンテンツや該時間ポイントを買い取る買価などを登録しておくと、該登録された該スポンサの該広告視聴コンテンツや時間ポイントの買価などが、後述する「広告視聴ガイド」の広告コンテンツ視聴ガイドとして掲載されることになる。
【０１６９】
ここで、時間ポイントを保有するユーザが、例えば、前述の専用アプリがインストールされたスマートフォン（携帯電話）やＷｅｂブラウザを備えたＰＣなどのクライアント装置を使って、前記ポイント管理センターが公開するＷｅｂページにアクセスし、所定のログイン操作によってログインすると、該クライアント装置の専用アプリまたはＷｅｂブラウザにおいて、前記「広告視聴ガイド」を含む「サービスメニュー」が表示され、該「広告視聴ガイド」が選択されると、広告コンテンツ視聴ガイドが提供される。
【０１７０】
上記の広告コンテンツ視聴ガイドは、広告コンテンツのカテゴリを選択するための広告カテゴリリストの表示領域と該広告カテゴリに対応して表示される広告コンテンツを選択するための広告コンテンツリストの表示領域によって構成され、例えば、該広告カテゴリリストの「家電」が選択されると、該選択されたカテゴリの「家電」に対応する広告コンテンツがテキストや画像によるリストとして表示され、また、該広告コンテンツリストから「パナソニックの新製品」が選択されると、該選択された広告コンテンツとこれを再生するための広告再生プログラムが、ポイント管理センターから該クライアント装置にダウンロードされ、該専用アプリまたはＷｅｂブラウザにおいて、その詳細内容（スポンサによって登録された、テキストや画像による広告概要、視聴時間、換算レート、ポイント買価）がコンテンツ再生画面と共に表示される。
【０１７１】
そして、ユーザによって上記コンテンツ再生画面の視聴開始ボタンが選択されると、広告コンテンツの再生が開始されると共に、該再生の開始時刻が前記広告再生プログラムによって取得され、また、該ユーザによって該広告コンテンツが指定された視聴時間視聴され、該広告コンテンツの再生が終了すると、該再生の終了時刻が該広告再生プログラムによって取得されると共に、該開始時刻と該終了時刻及びユーザＩＤを含むコンテンツ視聴パラメータが、インターネットを介して、該クライアント装置からポイント管理センターの広告管理システムに送信され、該送信されたコンテンツ視聴パラメータが該広告管理システムによって取得される。
【０１７２】
勿論、ユーザは、様々な事由によって、広告コンテンツの視聴を途中で中断したり再開したりする場合があるため、例えば、一時停止ボタンがユーザによって選択されたり何らかの停止要因が検知されると該広告コンテンツの再生が一時的に停止し、一時停止した時刻が視聴停止時刻として広告再生プログラムのコンテンツ視聴パラメータにセットされ、また、ユーザによる視聴の再開については、例えば、再度一時停止ボタンがユーザによって選択されたり停止要因が解除されると、広告コンテンツの再生が再開し、再度一時停止ボタンが選択されたり停止要因が解除された時刻が視聴再開時刻として広告再生プログラムのコンテンツ視聴パラメータにセットされる様にして、ユーザによる視聴時間が、刻一刻、コンテンツ視聴パラメータに記録されながら広告コンテンツの再生が行われる様にすることもできる。
【０１７３】
この様にして、コンテンツ視聴パラメータが広告管理システムにおいて取得されると、該取得されたコンテンツ視聴パラメータに基づく時間ポイント買取処理が該広告管理システムにおいて実行され、ユーザの視聴時間に相応する時間ポイントの消費処理が行われると共に、該視聴時間に相応して買い取られる該ユーザの時間ポイントに対する買価の支払が、後述する［電子チェックによる時間ポイント買取額の支払処理］によって行われる。
【０１７４】
なお、上記の広告コンテンツは、上述したダウンロードによらず、周知のストリーミング方式によって提供されても良く、この場合、上記広告再生プログラムは周知の動画再生プログラムによって代用することが可能となり、また、上記の視聴開始時刻（Ｖs）と視聴終了時刻（Ｖe）は、該ストリーミングによって広告コンテンツを配信する広告スポンサの広告配信システムから、前述した周知のＷｅｂ−ＡＰＩを介して、上記広告管理システムに引き渡される。
【０１７５】
また、前記の電子チェックは、前述した様に、ユーザの時間ポイントを視聴時間に相応して買い取る広告スポンサの資金によって担保される「電子式前払い証票」であって、ユーザは、本発明による実施例１で説明した位置通知装置を設置した加盟店や提携店において、この電子チェックを現金と同様に使用することができ、また、ポイント管理センターと金融機関との連携によっては、周知のＡＴＭから電子チェックの額面に応じた現金の引出しも可能になる。
【０１７６】
以上の様に、本発明における実施例３は、本発明による実施例１や実施例２と同様の機能に加えて、時間を単位とする販促ポイントである時間ポイントを介した広告視聴システムによって、ユーザが保有する時間ポイントの経済的価値が明示されると共に、広告スポンサによる広告が合理的かつ効果的に行われることを可能にする。
【０１７７】
以下、図面を参照しながら、その詳細について説明する。図１１は、本発明による実施例１や実施例２における時間ポイントの消費方法について、ユーザが保有する時間ポイントを広告コンテンツの視聴によって貨幣価値に交換（消費）する方法を採用した本発明による実施例３に関する全体の構成図である。
【０１７８】
上記図１１に記載のフロー記号（Ａ）〜（Ｅ）は、広告視聴時間の計測に関する構成であって、（Ａ）において実施例１で説明した時間ポイントが加盟店１３００で発行され、（Ｂ）において「広告視聴ガイド」に関するデータとしてコンテンツ・データ７０９２及び視聴時間（Ｖt）や換算レートからなるポイント買価データ７０９３がスポンサ１５００によって登録され、（Ｃ）においてユーザ１２００が該スポンサ１５００によって登録された該「広告視聴ガイド」から広告コンテンツが該ユーザ１２００によって選択され、（Ｄ）において該選択された広告コンテンツが該ユーザ１２００によって視聴されると共に、該視聴時間が計測され、（Ｅ）において該視聴時間に相応する時間ポイントの買取額が算出される過程を示す。
【０１７９】
また、上記図１１に記載のフロー記号（Ｆ）〜（Ｈ）は、電子チェックによる時間ポイントの買い取りに関する構成であって、（Ｆ）において該ユーザ１２００に発行される電子チェックの担保金、即ち、時間ポイントの買取額に相当する金員が、自動振替処理によって、該スポンサ１５００の指定口座１５１０からポイント管理センター１１００の管理口座２１０９に振り替えられ、（Ｇ）において該スポンサ１５００によって発行された電子チェックが、該ユーザ１２００によって、電子チェック支払フォーム５２８１を介して、加盟店１３００や提携店１４００で使用され、（Ｈ）において該電子チェック支払フォーム５２８１を介して使用された電子チェックの金額に相応する金員が、自動振替処理によって、該ポイント管理センター１１００の管理口座２１０９から該加盟店１３００の受取口座１３１０や該提携店１４００の受取口座１４１０に振り替えられる過程を示す。
【０１８０】
先ず、図１１の構成図に記載したフロー記号（Ａ）〜（Ｅ）の過程について、図１２の概要図を使って詳細に説明する。
【０１８１】
［「広告視聴ガイド」に関する所定の登録操作］
図１２の（ａ）で示す様に、Ｗｅｂサーバシステムなどによりインターネットを介して広告配信を行う企業などのスポンサ１５００が、Ｗｅｂブラウザを備えたＰＣなどのクライアント装置２５１０により、インターネット１９００を介して、ポイント管理センター１１００のＷｅｂサーバ装置２１１０などによって公開されている「広告視聴ガイドの登録」に関するＷｅｂページにアクセスし、該スポンサ１５００による所定のログイン処理、即ち、該Ｗｅｂページにおいて提供されるスポンサ用のログインフォームに対して該スポンサ１５００のスポンサＩＤ７０８１とパスワードが入力されサブミット（データ投入）されると、該サブミットされたスポンサＩＤ７０８１とパスワードが該ポイント管理センター１１００の広告管理システム４１２０によって取得されると共に、該取得されたスポンサＩＤ７０８１とパスワードがスポンサ管理データベース３０８０に登録されているか照合される処理によって、該スポンサ１５００によるログインが成立すると、該広告管理システム４１２０によって、コンテンツ登録フォーム５５８１が、該クライアント装置２５１０のＷｅｂブラウザに供給（表示）され、該スポンサ１５００によって、該コンテンツ登録フォーム５５８１に対する所定の視聴ガイド登録操作が行われる。
【０１８２】
この所定の視聴ガイド登録操作は、上記スポンサ１５００が、時間ポイントを保有するユーザに視聴してもらう広告コンテンツの内容を登録する操作であって、先ず、上記コンテンツ登録フォーム５５８１のコンテンツ設定フィールドにおいて、例えば、該広告コンテンツのタイトルに関するテキストが入力されたり、上記クライアント装置２５１０に設けられたローカルデータ記憶装置から画像や動画などが選択されることによって、該テキストや画像、動画からなり、広告企画ＩＤ８０９２（図２３）を含むコンテンツ・データ７０９２が構成され、また、該コンテンツ登録フォーム５５８１のポイント買価設定フィールドにおいて、ユーザに視聴してもらう該広告コンテンツの視聴時間（Ｖt）８０９３（図２３）が設定されたり、該視聴時間（Ｖt）に相応して買い取る時間ポイントの単位と貨幣の単位との換算レート８０９４（図２３）が設定されることによって、該視聴時間（Ｖt）８０９３と該換算レート８０９４からなるポイント買価データ７０９３が構成され、該構成されたコンテンツ・データ７０９２とポイント買価データ７０９３がサブミット（データ投入）されると、上記ポイント管理センター１１００の広告管理システム４１２０において取得されると共に、該広告管理システム４１２０を構成するアプリケーションサーバ装置２１２０の広告視聴管理プログラム５１６０が実行される。
【０１８３】
上記広告視聴管理プログラム５１６０の実行により、データベース管理サーバ装置２１３０が制御され、前記取得されたコンテンツ・データ７０９２とポイント買価データ７０９３及び、上記スポンサＩＤ７０８１と該コンテンツ・データ７０９２の上記広告企画ＩＤ８０９２に対応するカテゴリコード８０９１が、図２３に示したコンテンツ管理データベースのレコード・レイアウトに従い、広告視聴ガイドデータ６０９１として、該コンテンツ管理データベース３０９０に記録される。
【０１８４】
なお、上記によって登録される各スポンサの広告視聴ガイドデータは、後述の［ユーザによる所定の広告視聴操作］によってユーザに提供されるコンテンツ視聴ガイドとして、「広告視聴ガイド」に掲載される。
【０１８５】
［ユーザによる所定の広告視聴操作］
図１２の（ｂ）で示す様に、前述した本発明による実施例１における［ユーザによる所定の発行操作］と［発行操作に基づく時間計測処理］、［時間計測処理に基づく発行ポイントの算出処理］などによって発行された時間ポイントを保有するユーザ１２００が、Ｗｅｂブラウザを備えたＰＣや前述の専用アプリ４２１０がインストールされたスマートフォン（携帯電話）などのユーザクライアント装置により、インターネット１９００を介して、前記ポイント管理センター１１００のＷｅｂサーバ装置２１１０などによってユーザに提供されるＷｅｂページにアクセスし、該ユーザ１２００による所定のログイン処理、即ち、該Ｗｅｂページにおいて提供されるユーザ用のログインフォームに対して該ユーザ１２００のユーザＩＤ７０１１（図１５）とパスワードが入力されサブミット（データ投入）されると、該サブミットされたユーザＩＤ７０１１（図１５）とパスワードが該ポイント管理センター１１００の時間管理システム４１１０によって取得されると共に、該取得されたユーザＩＤ７０１１（図１５）とパスワードが、該時間管理システム４１１０を構成するアプリケーションサーバ装置２１２０の認証処理プログラム５１１０によって、ユーザ管理データベース３０１０に登録されているか照合される処理によって、該ユーザ１２００によるログインが成立すると、該ユーザクライアント装置のＷｅｂブラウザや該専用アプリ４２１０によって、「広告視聴ガイド」を含む「サービスメニュー」が提供（表示）され、これに対し、該ユーザ１２００が、「広告視聴ガイド」を選択（タッチやクリック）すると、コンテンツ視聴ガイド９４００が提供（表示）される。
【０１８６】
上記のコンテンツ視聴ガイド９４００は、例えば、図１２の（ア）で示す様に、「リビング」や「ヘルス」「ビューティ」「グルメ」「カルチャー」「レジャー」「スポーツ」など、前述したライフスタイル要素に対応するカテゴリからなるリストであって、該リストから特定のカテゴリを選択できるカテゴリリストの表示領域と、該カテゴリリストにおいて選択されたカテゴリに対応して表示される広告コンテンツのリストであって、該リストから特定の広告コンテンツを選択できるコンテンツリストの表示領域によって構成される。
【０１８７】
ここで、ユーザによって、例えば、上記広告カテゴリリストの「ビューティ」が選択されると、該選択されたカテゴリの「ビューティ」に対応するカテゴリコード８０９１が、インターネット１９００を介して、該ユーザクライアント装置から前記ポイント管理センター１１００の広告管理システム４１２０に送信され、該送信されたカテゴリコード８０９１が該広告管理システム４１２０によって取得されると、該広告管理システム４１２０を構成するアプリケーションサーバ装置２１２０の広告視聴管理プログラム５１６０が実行される。
【０１８８】
上記広告視聴管理プログラム５１６０が実行されることにより、上記取得されたカテゴリコード８０９１に対応する前記広告企画ＩＤ８０９２（図２３）を含む広告視聴ガイドデータ６０９１がコンテンツ管理データベース３０９０から順次抽出され、該順次抽出された広告視聴ガイドデータ６０９１のコンテンツＩＤ７０９１とコンテンツ・データ７０９２のテキストデータ及びポイント買価データ７０９３からなる広告コンテンツリストが生成されると共に、該生成された広告コンテンツリストが、インターネット１９００を介して、上記広告管理システム４１２０から上記ユーザクライアント装置に送信され、該送信された広告コンテンツリストが該ユーザクライアント装置のＷｅｂブラウザまたは上記専用アプリ４２１０によって取得されると、該取得された広告コンテンツリストが該ユーザクライアント装置のＷｅｂブラウザまたは該専用アプリ４２１０によって、該ユーザクライアント装置の表示画面に表示される。
【０１８９】
更に、ここで、ユーザによって、例えば、上記の広告コンテンツリストから「１」（パナソニックの新製品）が選択されると、該選択された広告コンテンツリストの「１」に対応するコンテンツＩＤ７０９１と上述した所定のログイン処理において時間管理システム４１１０によって取得されたユーザＩＤ７０１１が、インターネット１９００を介して、上記ユーザクライアント装置から上記ポイント管理センター１１００の広告管理システム４１２０に送信され、該送信されたコンテンツＩＤ７０９１とユーザＩＤ７０１１が広告管理システム４１２０によって取得されると、該広告管理システム４１２０の広告視聴管理プログラム５１６０が実行され、該実行により、該取得されたコンテンツＩＤ７０９１に対応する広告視聴ガイドデータ６０９１がコンテンツ管理データベース３０９０から抽出され、また、該時間管理システム４１１０のポイント管理プログラム５１３０が実行され、該実行により、該取得されたユーザＩＤ７０１１を含むポイントデータ６０７１がポイント管理データベース３０７０から順次抽出され、該抽出された広告視聴ガイドデータ６０９１と該広告視聴ガイドデータ６０９１のコンテンツ・データ７０９２を構成する動画コードに対応する動画データと該動画データを再生するための広告再生プログラム５１５１からなる広告コンテンツ、及び、該順次抽出されたユーザＩＤ７０１１を含むポイントデータ６０７１からなる上記ユーザ１２００の時間ポイント情報が、インターネット１９００を介して、上記ユーザクライアント装置に送信される。
【０１９０】
この様にして送信された広告コンテンツと時間ポイント情報が該ユーザクライアント装置のＷｅｂブラウザまたは専用アプリ４２１０によって取得されると、該広告コンテンツを構成する広告視聴ガイドデータ６０９１のコンテンツ・データ７０９２とポイント買価データ７０９３と、例えば、該広告再生プログラム５１５１によって再生される該動画データの初期画像を表示するコンテンツ再生画面９５００からなる前記スポンサ１５００の広告コンテンツが、上記ユーザ１２００の時間ポイント情報と共に、該ユーザクライアント装置のＷｅｂブラウザまたは専用アプリ４２１０によって、該ユーザクライアント装置の表示画面に表示される。
【０１９１】
なお、図１２で示す様に、上記広告再生プログラム５１５１には、上記ユーザ１２００による動画データの視聴時間を計測するためのコンテンツ視聴パラメータ７１０２が含まれるが、これに加え、該ユーザ１２００のログイン状態が続くことによるシステムの負荷とセキュリティーの脆弱化を防止するため、該広告再生プログラム５１５１の識別コード６５３０や該ユーザ１２００の上記ユーザＩＤ７０１１からなる認証コード６５１０が予めセットされる様に構成することができ、この場合、該広告再生プログラム５１５１の識別コード６５３０は、例えば、上記ポイント管理センター１１００の広告管理システム４１２０によって、広告再生プログラム管理ファイル３５１０などに一時的に記録される。
【０１９２】
［広告視聴操作に基づく時間計測処理］
また、ユーザ１２００による広告視聴の時間計測については、図１２の（ｃ）で示す様に、前記ユーザクライアント装置のＷｅｂブラウザや専用アプリ４２１０によって表示された前記コンテンツ再生画面９５００の「視聴開始ボタン」が該ユーザ１２００によって選択（タッチやクリック）されると、前記広告再生プログラム５１５１が実行され、該実行により、該実行時刻が視聴開始時刻（Ｖs）として該広告再生プログラム５１５１のコンテンツ視聴パラメータ７１０２にセットされると共に、前記動画データが再生され、前記広告視聴ガイドデータ６０９１のポイント買価データ７０９３に基づく視聴時間８０９３（Ｖt）に達すると該動画データの再生が終了し、該終了した時刻が視聴終了時刻（Ｖe）として該コンテンツ視聴パラメータ７１０２にセットされると共に、該広告視聴ガイドデータ６０９１の前記コンテンツＩＤ７０９１が該コンテンツ視聴パラメータ７１０２にセットされ、該コンテンツ視聴パラメータ７１０２が、インターネット１９００介して、該ユーザクライアント装置から前記ポイント管理センター１１００の広告管理システム４１２０に送信される。
【０１９３】
なお、上述した、広告視聴ガイドデータ６０９１の動画コードに対応する動画データとこれを再生するための広告再生プログラムをユーザクライアント装置にダウンロードしてユーザによる広告視聴の時間を該広告再生プログラムのコンテンツ視聴パラメータによって計測する構成については、本発明の実施例２における［ネット広告におけるＷｅｂ−ＡＰＩによる計測時間の取得］ で説明した方法を採用すれば、前述したネット広告企業の広告配信システム４４１０（図１０）によって広告コンテンツが配信される構成、即ち、［ネット広告におけるＷｅｂ−ＡＰＩによる計測時間の取得］ で説明に用いた図１０において、ネット広告企業を前記スポンサ１５００（図１２）に対応させ、また、広告配信システム４４１０を前記広告再生プログラム５１５１（図１２）に対応させ、更に、広告コンテンツを前記広告視聴ガイドデータ６０９１（図１２）の動画コードに対応する動画データに、また更に、時間計測パラメータ７４１１をコンテンツ視聴パラメータに、それぞれ対応させることによって、同様に構成することができる。
【０１９４】
ここで、上述したユーザによる広告視聴の時間計測過程において、該ユーザの都合またはクライアント装置や通信状態等による停止要因などにより、必ずしも、該ユーザによる広告視聴が連続しないため、広告再生プログラムによる動画データの再生過程については、例えば、ユーザによってコンテンツ再生画面の「一時停止ボタン」が選択（タッチやクリック）されたり停止要因が検知されると、広告再生プログラムによって、動画データの再生が停止されると共に、該停止時刻が視聴停止時刻（Ｖp1）として該広告再生プログラムのコンテンツ視聴パラメータにセットされ、再度、該「一時停止ボタン」が選択（タッチやクリック）されたり停止要因が解除されると、該広告再生プログラムによって、該動画データの再生が再開されると共に、該再開時刻が視聴再開時刻（Ｖr1）として該広告再生プログラムのコンテンツ視聴パラメータにセットされる様にし、該ユーザによる「一時停止ボタン」に対するｎ回目の選択（タッチやクリック）や停止要因の検知や解除のｎ回目について、順次、視聴停止時刻（Ｖpn）と視聴再開時刻（Ｖrn）が該広告再生プログラムのコンテンツ視聴パラメータにセットされながら、該広告再生プログラムによる該動画データの再生が行われるように構成しても良い。
【０１９５】
［時間計測処理に基づく時間ポイントの買取額算出処理］
図１２の（ｄ）で示す様に、前記ユーザ１２００によって選択された前記広告視聴ガイドデータ６０９１に基づく広告コンテンツである前記動画データが該ユーザ１２００によって視聴されると共に、該視聴された時間がセットされた前記広告再生プログラム５１５１のコンテンツ視聴パラメータ７１０２が前記ポイント管理センター１１００の広告管理システム４１２０において取得されると、先ず、該広告管理システム４１２０の広告視聴管理プログラム５１６０によって、該コンテンツ視聴パラメータ７１０２に関する所定の認証コード照合処理、即ち、該送信された該コンテンツ視聴パラメータ７１０２に予めセットされた前記認証コード６５１０の構成要素である該広告再生プログラム５１５１の識別コード６５３０が真正であり、また前記ユーザＩＤ７０１１が前記ユーザ管理データベース３０１０に登録されているかを照合する処理であって、例えば、該識別コード６５３０が前記広告再生プログラム管理ファイル３５１０に記録されたものと一致すると共に、該ユーザＩＤ７０１１を検索キーとして、該ユーザ管理データベース３０１０からユーザ基本データ７０１３（図１５）やユーザ属性データ７０１４（図１５）などが検出されることによって、該コンテンツ視聴パラメータ７１０２にセットされた前記視聴開始時刻（Ｖs）と前記視聴終了時刻（Ｖe）、或いは、また、上述したn回目の視聴停止時刻（Ｖpn）や視聴再開時刻（Ｖrn）が、該コンテンツ視聴パラメータ７１０２から抽出され、該抽出されたデータに基づくユーザ視聴時間（Ｖu）が、例えば、該視聴開始時刻（Ｖs）と該視聴終了時刻（Ｖe）との差から該ｎ回分の視聴停止時刻（Ｖpn）と視聴再開時刻（Ｖrn）との差を控除する数式｛Ｖu＝（Ｖe−Ｖs）−（（Ｖr1−Ｖp1）＋（Ｖr2−Ｖp2）＋（Ｖr3−Ｖp3）＋・・・＋（Ｖrn-1−Ｖpn-1）＋（Ｖrn−Ｖpn））｝によって算出される。
【０１９６】
次に、図１２で示した様に、上記広告管理システム４１２０の広告視聴管理プログラム５１６０によって、上記ユーザ視聴時間（Ｖu）に対する上記コンテンツ視聴パラメータ７１０２のポイント買価データ７０９３に基づく時間ポイントの消費数及び該消費数に対する時間ポイント買取額が算出される。
【０１９７】
ここで、上記時間ポイントの消費数については、上記ユーザ視聴時間（Ｖu）の時間の単位と時間ポイントの単位との換算レートによって定まるところ、例えば、該ユーザ視聴時間（Ｖu）が３０秒だとすると、該３０秒の時間の単位である「秒」と時間ポイントの単位である「分」との換算レート（６０：１）から、該ユーザ視聴時間（Ｖu）３０秒に対する時間ポイントの消費数は、０.５ＴＰ（ＴＰは、時間ポイントの単位）と定まり、或いは、該ユーザ視聴時間（Ｖu）が１分だとすると、該１分の時間の単位である「分」と時間ポイントの単位である「分」との換算レート（１：１）から、該ユーザ視聴時間（Ｖu）１分に対する時間ポイントの消費数は、１ＴＰと定まる。
【０１９８】
また、上記ユーザ視聴時間（Ｖu）に応じて買い取る時間ポイントの買い取り金額、即ち、時間ポイント買取額（Ｂp）は、時間ポイントの単位と貨幣の単位との広告視聴ガイドデータに設定された前記ポイント買価データ７０９３の換算レート８０９４（図２３）と上記時間ポイントの消費数に基づき算出されるところ、例えば、該換算レート８０９４を「１０」とすると、上記のユーザ視聴時間（Ｖu）３０秒に相応する時間ポイント買取額（Ｂp）は、該換算レート８０９４の「１０」と時間ポイントの消費数０.５ＴＰから、５円と算出され、また、上記のユーザ視聴時間（Ｖu）１分に相応する時間ポイント買取額（Ｂp）は、該換算レート８０９４の「１０」と時間ポイントの消費数１ＴＰから、１０円と算出される。
【０１９９】
この様にして、上記広告視聴ガイドデータ６０９１に基づく前記スポンサ１５００のユーザ視聴時間（Ｖu）に対する時間ポイント買取額（Ｂp）が算出されると、更に、上記ポイント管理センター１１００の時間管理システム４１１０を構成するアプリケーションサーバ装置２１２０のポイント管理プログラム５１３０が実行され、該実行により、上記ユーザＩＤ７０１１と、時間ポイントの「消費」に対応する処理区分８０７２（図２１）と、上記消費数に相当する時間ポイント数及び、消費履歴データ７０７４（図２１）を構成する前記コンテンツＩＤ７０９１からなる時間ポイントの消費に関するポイントデータ６０７１（図２１）が生成されると共に、該生成されたポイントデータ６０７１が、ポイント管理データベース３０７０に記録される。
【０２００】
なお、上記において、広告視聴ガイドデータを登録したスポンサによる時間ポイントの買い取り金額を上記ユーザ視聴時間（Ｖu）に相応する時間ポイント買取額（Ｂp）としたが、該時間ポイント買取額（Ｂp）については、該スポンサが設定した、図２３に示す、前記視聴時間８０９３（Ｖt）を基準とする任意の条件によって算出することも可能である。
これは、スポンサによる実際の買い取り金額を時間ポイント実買取額（Ｂn）として、例えば、該時間ポイント実買取額（Ｂn）が、上記ユーザ視聴時間（Ｖu）と該視聴時間（Ｖt）の比率（Ｒv）と上記の時間ポイント買取額（Ｂp）との積、即ち、数式｛Ｂn＝Ｂp（Ｖu÷Ｖt）｝となる様に構成したり、或いは、該時間ポイント実買取額（Ｂn）が、該ユーザ視聴時間（Ｖu）と該視聴時間（Ｖt）の比較に基づく条件、即ち、以下の条件式、
【０２０１】
if (Ｖu≧Ｖt) {     Ｂn＝Ｂp ;
} else {     Ｂn＝Ｂp * ( (Ｖt−Ｖu) / Ｖt ) ;
} else return false ;
によって与えられる様に構成するなどして実現することができる。
【０２０２】
なお、この様な支払条件に関する情報は、前述の広告コンテンツ視聴ガイド９４００（図１２）に記載されて、ユーザに提供される。
【０２０３】
以上の様に、ユーザが保有する時間ポイントが、スポンサによって配信される広告視聴の時間と交換されると共に、該広告視聴時間分の時間ポイントが貨幣の単位との換算レートによって買い取られることになれば、ユーザにとって魅力的なサービスとなるのは勿論のこと、気軽に貯めることができる時間ポイントのユーザに成ろうとする消費者が増えることが期待され、また、それによって新たな広告スポンサが参加することが期待され、更に、小規模、小資本の商店であっても販促ポイントの発行コストを気にせず気軽に時間ポイントを発行できるので加盟店や提携店も拡大される。
【０２０４】
ここで、本発明による時間ポイントは、従来の販促ポイントが売上に応じて発行されるのに対して、売上ではなく消費者（ユーザ）が供給した時間に応じてポイント管理センターによって発行されるため、例えば、該消費者（ユーザ）が供給した時間の種別について、加盟店ガイドデータベースの発行対象データに係る発行対象ＩＤを後述する様な混雑待機時間や供給待機時間、超過待機時間などに応じて設定し、また、該消費者（ユーザ）に時間ポイントが発行される加盟店について、該加盟店の業種コードを後述する様な区分に詳細化すれば、該消費者（ユーザ）の行動に関する情報を時間ポイントの発行履歴データとして、該ポイント管理センターのポイント管理データベースに蓄積することができる。
【０２０５】
また、この様にして蓄積された発行履歴データは、消費者（ユーザ）の自発的な意志によってスポンサに売却される時間ポイントに付帯する情報として、例えば、時間ポイントを売却した消費者（ユーザ）の属性データとの関連性や適合性に基づく「ターゲティングガイド」（効果的な広告を行うため、その対象を絞り込むためのガイド）に加工され、ポイント管理センターによる周知のＷｅｂサービス（Ｗｅｂブラウザを介して情報等を提供するサービスであって、代表的な例として、グーグル検索やウィキペディアなどを挙げることができる）を介して、該スポンサに提供することが可能となり、スポンサは、この様な「ターゲティングガイド」によって、前述の「行動ターゲティング広告」を効率よく実施できるので、消費者（ユーザ）が保有する時間ポイントに対するスポンサの価値観が向上し、時間ポイントの買価、即ち、時間ポイントの単位と貨幣の単位との換算レートが高く設定されることが期待できる。
【０２０６】
即ち、本発明の実施例３によれば、消費者（ユーザ）とスポンサとの時間ポイントの売買を介して、ユーザ属性や行動に関するデータが、ユーザ自らによって合理的に提供され、スポンサによる「行動ターゲティング広告」の効率が飛躍的に向上する。
【０２０７】
この様に、本発明の実施例３には、「ターゲティングガイド」の提供に関する構成が付加されるところ、該構成は、例えば、ポイント管理センターの時間管理システムを構成するアプリケーションサーバ装置の条件管理プログラムによって、本発明の実施例１や実施例２による時間ポイントの発行に関する情報、即ち、ユーザの特定場所における所定の経過時間を計測して発行される時間ポイントやユーザの特定操作に関する所定の経過時間を計測して発行される時間ポイントの履歴データであって、図２１で示す、ポイント管理データベースのポイントデータ６０７１を構成する発行履歴データ７０７３として記録された情報と、該時間ポイントが付与されたユーザに関する属性データであって、図１５で示す、ユーザ管理データベースのユーザデータ６０１１を構成するユーザ属性データ７０１４として記録された情報を含み、ＪａｖａＳｃｒｉｐｔやＰＨＰなどのスクリプト言語やＪａｖａ言語などからなるＨＴＭＬプログラムが生成されると共に、該生成されたＨＴＭＬプログラムが、該ポイント管理センターによるＷｅｂサービスを介して、スポンサに提供される構成に基づく。
【０２０８】
上記の「ターゲティングガイド」に関するポイント管理センターのＷｅｂサービスについては、以下、図１３の概要図に基づき説明する、加盟店ガイドデータベースの案内ガイドＩＤに係る業種コードに関する設定と、発行対象データに係る発行対象ＩＤに関する設定と、ポイント管理データベースのレコード・レイアウトに発行履歴データを付加することによって実現される。
【０２０９】
先ず、図１８で示した加盟店ガイドデータベース３０４０の案内ガイドＩＤ７０４１に係る業種コード、即ち、加盟店管理データベース３０２０（図１６）から参照される業種コード７０２２について、例えば、該業種コード７０２２の１００番台を「飲食業」として、その下２桁１０番台を「和食」に、２０番台を「洋食」に、また３０番台を「中華」に、それぞれ対応させ、更に、該「洋食」を示す１２０番台の下１桁１番を「フレンチ料理」に、２番を「イタリアン料理」に、また、３番を「スペイン料理」に、それぞれ対応させれば、例えば、フレンチ料理を提供する加盟店の業種コード７０２２には「１２１」が設定され、また、例えば、該業種コードの５００番台を「施術業」として、その下２桁１０番台を「美容」に、２０番台を「マッサージ」に、また３０番台を「整体(Chiropractic)」に、それぞれ対応させ、更に、該「美容」を示す５１０番台の下１桁１番を「美容院」に、２番を「エステ店」に、また、３番を「理容店」に、それぞれ対応させれば、例えば、美容院を営業する加盟店１３００（図１３）の業種コード７０２２には「５１１」が設定されて、それぞれ該加盟店管理データベース３０２０に記録されるので、本発明の実施例１における[「加盟店案内ガイド」の登録処理]で説明した案内ガイド設定フォーム５３８１（図５）による設定によって構成される該加盟店ガイドデータベース３０４０の案内ガイドデータ６０４１については、例えば、該フレンチ料理を提供する加盟店の案内ガイドＩＤ７０４１に係る業種コードに「１２１」が、また該美容院を営業する加盟店１３００の案内ガイドＩＤ７０４１に係る業種コードに「５１１」が、それぞれ反映される。
【０２１０】
次に、図１８で示した加盟店ガイドデータベースの発行対象データ７０４２に係る発行対象ＩＤ８０４１について、例えば、時間ポイントの発行対象を前述した様な「混雑待機時間」や「供給待機時間」、「超過待機時間」とする場合、該発行対象ＩＤ８０４１の１０番台を「待機」時間に対応させ、また、その下１桁を該「待機」時間の種別として、１番を「混雑」に、２番を「供給」に、また、３番を「超過」に、それぞれ対応させれば、前記案内ガイド設定フォーム５３８１（図５）の発行対象設定フィールドにおいて、例えば、業種コード「５１１」の前記加盟店１３００が「超過待機時間」を時間ポイントの発行対象とする場合、該発行対象ＩＤ８０４１を「１３」として設定することができる。
【０２１１】
上述の設定を前提に、図１３で示す様に、本発明の実施例１と同様にして、例えば、前述の位置通知装置２３２０を設置した加盟店１３００（業種コードが「５１１」の美容室）において、前述の専用アプリ４２１０がインストールされたクライアント装置２２１０を所持したユーザ１２００に対して、超過待機時間（発行対象ＩＤ「１３」）を対象として時間ポイント３０TPが発行されると、前述の［時間ポイントの発行履歴データ管理処理］で説明した様に、該時間ポイントの発行数と認証コード６５１０が、インターネット１９００を介して、ポイント管理センター１１００の時間管理システム４１１０に送信され、所定の認証コード照合処理によって、該位置通知装置２３２０の識別情報２３２１に基づく該加盟店１３００の加盟店ＩＤ７０２１と、該専用アプリ４２１０の識別情報４２１１に基づく該ユーザ１２００のユーザＩＤ７０１１が、ポイント管理センター１１００の時間管理システム４１１０によって取得され、該時間管理システム４１１０を構成するアプリケーションサーバ装置２１２０のポイント管理プログラム５１３０が実行される。
【０２１２】
ここで、上記ポイント管理プログラム５１３０が実行する、前述の[時間ポイントの発行履歴データ管理処理]で説明した時間ポイントの「発行」に対応する履歴データがポイント管理データベース３０７０に記録される処理については、先ず、上記の取得された加盟店ＩＤ７０２１によって、図１７で示す、加盟店ガイドデータベース３０４０の業種コード７０２２（ここでは、美容室に対応する「５１１」）と加盟店位置データ８０２１の「Ｐx1，Ｐy1」と該発行対象ＩＤ８０４１（ここでは、混雑待機時間に対応する「１３」）が参照され、また、該取得された上記ユーザＩＤ７０１１によって、図１５で示す、ユーザ管理データベース３０１０のユーザ属性データ７０１４から、例えば、東京都中央区日本橋（Zip Code：１０３-０００７）に住む主婦（Occupation：０３）で４０歳代（Age：４０）の女性（Sex：F）という属性データが参照され、該参照された業種コード７０２２「５１１」と、加盟店位置データ８０２１「Ｐx1，Ｐy1」と、発行対象ＩＤ８０４１「１３」及び、時間ポイントの発行数「３０ＴＰ」と、ユーザ属性データ７０１４に基づく「103-00０7,03,40,F」からなり、該加盟店ＩＤ７０２１を含む、発行履歴データ７０７３（「pt００００１（加盟店ＩＤ），５１１，Ｐx1，Ｐy1，１３，３０ＴＰ，103-0027,03,40,F」）が生成されると共に、該生成された発行履歴データ７０７３が、図２１に示した、ポイント管理データベースのレコード・レイアウトに従って、該ポイント管理データベース３０７０に記録される処理によって構成される。
【０２１３】
なお、上述したポイント管理プログラム５１３０による発行履歴データの記録方法は、前述の[時間ポイントの消費履歴データ管理処理]で説明した時間ポイントの「消費」に対応する履歴データがポイント管理データベースに記録される処理についても適用することが可能である。
【０２１４】
この様にして、発行履歴データ７０７３が、ユーザの特定場所における所定の経過時間やユーザの特定操作に関する所定の経過時間に応じて時間ポイントが発行される毎に蓄積され、該蓄積された発行履歴データ７０７３は、図１３で示す様に、前述の[「広告視聴ガイド」に関する所定の登録操作]で説明したスポンサ１５００による広告コンテンツの登録過程において、ユーザのライフスタイル要素やユーザの属性データに基づく「ターゲティングガイド」として、以下の様にして該スポンサ１５００に提供される。
【０２１５】
［ターゲティングガイドの提供方法］
ユーザ全体の発行履歴データに基づくターゲティングガイドがＷｅｂサービスによってスポンサに提供される方法については、図１３で示した様に、スポンサ１５００のＷｅｂブラウザを備えたＰＣからなるクライアント装置２５１０とポイント管理センター１１００のＷｅｂサーバ装置２１１０が、インターネット１９００を介したＷｅｂネットワークによって接続され、先ず、前述の［「広告視聴ガイド」に関する所定の登録操作］で説明したスポンサ１５００によるログインが成功すると、該クライアント装置２５１０のＷｅｂブラウザにおいて、「ターゲティングガイド」を呼び出すための「ガイドボタン」を備えたコンテンツ登録フォーム５５８１が提供（表示）され、該スポンサ１５００によって、該「ガイドボタン」が選択（クリック）されると、該ポイント管理センター１１００のＷｅｂサーバ装置２１１０によって、ターゲティングガイド９６００が、該クライアント装置２５１０のＷｅｂブラウザに供給（表示）される。
【０２１６】
なお、上記ターゲティングガイド９６００の初期画面は、例えば、図１３の（ア）で示す様に、ライフスタイル要素に基づくコンテンツ視聴ガイドのカテゴリが表示される領域とポイントデータ６０７１（図２１）を構成する発行履歴データ７０７３（図２１）に含まれる該カテゴリに属する加盟店の業種を指定するためのプルダウンメニューからなるカテゴリ業種選択領域９６１０と、ポイントデータ６０７１を構成する発行履歴データ７０７３に含まれるユーザの属性データ（地域、職業、性別、年代など）を指定するためのプルダウンメニューからなるユーザ属性選択領域９６２０と、時間ポイントのセグメント条件に基づくターゲティング情報が表示される領域であって、ライフスタイル要素の選択領域を兼ねる、ターゲティング情報表示領域９６３０によって構成される。
【０２１７】
次に、上記スポンサ１５００によって、上記ターゲティングガイド９６００のターゲティング情報表示領域９６３０から、例えば、「ビューティ」が選択されると、図１３の（イ）で示した様に、該選択された「ビューティ」に属する加盟店の業種を選択するためのプルダウンメニューが表示（活性化）され、該プルダウンメニューから「美容室」が選択されると、該選択された「美容室」に対応する業種コード「５１１」が、セグメント条件としてサブミット（データ投入）され、該サブミットされたセグメント条件（「５１１」）が、上記ポイント管理センター１１００のＷｅｂサーバ装置２１１０を介して、広告管理システム４１２０によって取得されると共に、該広告管理システム４１２０を構成するアプリケーションサーバ装置２１２０の条件管理プログラム５１２０が実行され、該実行により、ターゲティング情報の提供に関するセグメント処理が行われる。
【０２１８】
ここで、上記条件管理プログラム５１２０によるターゲティング情報の提供に関するセグメント処理は、先ず、ポイント管理データベース３０７０から、処理区分８０７２（図２１）が時間ポイントの「発行」に対応する「０１」である発行に関するポイントデータ６０７１（図２１）が全て参照されると共に、該発行に関するポイントデータ６０７１の時間ポイントデータ７０７２を構成する時間ポイント数を合計したユーザ全体の時間ポイント数（ＵＰ-ＡＬＬ）が算出され、また、該発行に関するポイントデータ６０７１から、上記取得された業種コード「５１１」を含む発行履歴データ７０７３からなる業種コード「５１１」に関するポイントデータ６０７１が全て参照されると共に、該業種コード「５１１」に関するポイントデータ６０７１の時間ポイントデータ７０７２を構成する時間ポイント数を合計した「美容室」を利用するユーザの時間ポイント数（UP-551）が算出され、例えば、該ユーザ全体の時間ポイント数（ＵＰ-ＡＬＬ）に対する該「美容室」を利用するユーザの時間ポイント数（UP-551）の割合を示すグラフからなるガイド（１）が生成される処理であって、該生成されたガイド（１）は、上記ポイント管理センター１１００のＷｅｂサーバ装置２１１０によって、上記クライアント装置２１５０のＷｅｂブラウザに供給されると共に、上記ターゲティングガイド９６００のターゲティング情報表示領域９６３０において表示される。
【０２１９】
また、ここで、例えば、図１３の（ウ）に示す様に、上記のユーザ属性選択領域９６２０において、職業について「主婦」が選択されると、該選択された「主婦」に対応する職業区分「０３」と、前記「美容室」に対応する業種コード「５１１」からなるセグメント条件（「５１１，０３」）がサブミット（データ投入）され、該サブミットされたセグメント条件（「５１１，０３」）が、上記ポイント管理センター１１００のＷｅｂサーバ装置２１１０を介して、上記広告管理システム４１２０によって取得されると共に、上記条件管理プログラム５１２０が実行され、該実行による前述と同様のセグメント処理によって、先ず、ポイント管理データベース３０７０から、処理区分８０７２（図２１）が時間ポイントの「発行」に対応する「０１」である発行に関するポイントデータ６０７１（図２１）が全て参照されると共に、該発行に関するポイントデータ６０７１の時間ポイントデータ７０７２を構成する時間ポイント数を合計したユーザ全体の時間ポイント数（ＵＰ-ＡＬＬ）が算出され、また、該「発行」に関するポイントデータ６０７１から、該取得されたセグメント条件の業種コード「５１１」を含む発行履歴データ７０７３からなる業種コード「５１１」に関するポイントデータ６０７１が全て参照されると共に、該業種コード「５１１」に関するポイントデータ６０７１の時間ポイントデータ７０７２を構成する時間ポイント数を合計した「美容室」を利用するユーザの時間ポイント数（ＵＰ−５５１）が算出され、更に、該業種コード「５１１」に関するポイントデータ６０７１から、該取得されたセグメント条件の職業区分「０３」を含む発行履歴データ７０７３からなる職業区分「０３」に関するポイントデータ６０７１が全て参照されると共に、該職業区分「０３」に関するポイントデータ６０７１の時間ポイントデータ７０７２を構成する時間ポイント数を合計した「美容室」を利用する「主婦」の時間ポイント数（ＵＰ−５５１-０３）が算出され、例えば、該ユーザ全体の時間ポイント数（ＵＰ-ＡＬＬ）に対する該「美容室」を利用するユーザの時間ポイント数（ＵＰ−５５１）の割合を示すグラフや該「美容室」を利用するユーザの時間ポイント数（ＵＰ−５５１）に対する該「美容室」を利用する「主婦」の時間ポイント数（ＵＰ−５５１-０３）の割合を示すグラフなどからなるガイド（２）が生成され、該生成されたガイド（２）が、該ポイント管理センター１１００のＷｅｂサーバ装置２１１０によって、上記クライアント装置２１５０のＷｅｂブラウザに供給されると共に、上記ターゲティングガイド９６００のターゲティング情報表示領域９６３０において表示される。
【０２２０】
更に、ここで、例えば、図１３の（エ）に示す様に、上記のユーザ属性選択領域９６２０において、年代について「４０代」が選択されると、該選択された「４０代」に対応する年代区分「４０」と、前記「美容室」に対応する業種コード「５１１」や職業区分「０３」からなるセグメント条件（「５１１，０３，４０」）がサブミット（データ投入）され、該サブミットされたセグメント条件（「５１１，０３，４０」）が、上記ポイント管理センター１１００のＷｅｂサーバ装置２１１０を介して、上記広告管理システム４１２０によって取得されると共に、上記条件管理プログラム５１２０が実行され、該実行による前述と同様のセグメント処理によって、先ず、ポイント管理データベース３０７０から、処理区分８０７２（図２１）が時間ポイントの「発行」に対応する「０１」である発行に関するポイントデータ６０７１（図２１）が全て参照されると共に、該発行に関するポイントデータ６０７１の時間ポイントデータ７０７２を構成する時間ポイント数を合計したユーザ全体の時間ポイント数（ＵＰ-ＡＬＬ）が算出され、また、該発行に関するポイントデータ６０７１から、該取得されたセグメント条件の業種コード「５１１」を含む発行履歴データ７０７３からなる業種コード「５１１」に関するポイントデータ６０７１が全て参照されると共に、該業種コード「５１１」に関するポイントデータ６０７１の時間ポイントデータ７０７２を構成する時間ポイント数を合計した「美容室」を利用するユーザの時間ポイント数（UP-551）が算出され、更に、該業種コード「５１１」に関するポイントデータ６０７１から、該取得されたセグメント条件の職業区分「０３」を含む発行履歴データ７０７３からなる職業区分「０３」に関するポイントデータ６０７１が全て参照されると共に、該職業区分「０３」に関するポイントデータ６０７１の時間ポイントデータ７０７２を構成する時間ポイント数を合計した「美容室」を利用する「主婦」の時間ポイント数（UP-551-０３）が算出され、また更に、該職業区分「０３」に関するポイントデータ６０７１から、該取得されたセグメント条件の年代区分「４０」を含む発行履歴データ７０７３からなる年代区分「４０」に関するポイントデータ６０７１が全て参照されると共に、該年代区分「０３」に関するポイントデータ６０７１の時間ポイントデータ７０７２を構成する時間ポイント数を合計した「美容室」を利用する「４０代の主婦」の時間ポイント数（UP-551-０３-４０）が算出され、例えば、該ユーザ全体の時間ポイント数（ＵＰ-ＡＬＬ）に対する該「美容室」を利用するユーザの時間ポイント数（UP-551）の割合を示すグラフや該「美容室」を利用するユーザの時間ポイント数（UP-551）に対する該「美容室」を利用する「主婦」の時間ポイント数（UP-551-０３）の割合を示すグラフ、該「美容室」を利用する「主婦」の時間ポイント数（UP-551-０３）に対する該「美容室」を利用する「４０代の主婦」の時間ポイント数（UP-551-０３-４０）の割合を示すグラフなどからなるガイド（３）が生成され、該生成されたガイド（３）が、上記ポイント管理センター１１００のＷｅｂサーバ装置２１１０によって、上記クライアント装置２１５０のＷｅｂブラウザに供給されると共に、上記ターゲティングガイド９６００のターゲティング情報表示領域９６３０において表示される。
【０２２１】
また更に、ここで、例えば、図１３の（オ）に示す様に、上記のユーザ属性選択領域９６２０において、地域について「東京都中央区日本橋」が選択されると、該選択された「東京都中央区日本橋」に対応する地域区分として、例えば、郵便番号「１０３-０００７」と、前記「美容室」に対応する業種コード「５１１」や職業区分「０３」からなるセグメント条件（「５１１，０３，４０,103-０００７」）がサブミット（データ投入）され、該サブミットされたセグメント条件（「５１１，０３，４０,１０３−０００７」）が、上記ポイント管理センター１１００のＷｅｂサーバ装置２１１０を介して、上記広告管理システム４１２０によって取得されると共に、上記条件管理プログラム５１２０が実行され、該実行による前述のセグメント処理によって、ポイント管理データベース３０７０から、処理区分８０７２（図２１）が時間ポイントの「発行」に対応する「０１」であって、該取得されたセグメント条件の業種コード「５１１」と職業区分「０３」と年代区分「４０」と地域区分「１０３-０００７」を含む発行履歴データ７０７３からなるポイントデータ６０７１（図２１）が全て参照されると共に、該参照されたポイントデータ６０７１の発行履歴データ７０７３から加盟店ＩＤ７０２１（図２１）と加盟店位置データ８０２１（図２１）が参照され、更に、該加盟店ＩＤ７０２１を検索キーとして加盟店管理データベース３０２０（図１６）から加盟店名（Shop Name）が参照され、該参照されたポイントデータ６０７１と該加盟店名（Shop Name）と該加盟店位置データ８０２１に基づき、例えば、該セグメント条件に合致する時間ポイントの発行分布に関する加盟店マップ９６０１や時間ポイントの発行順位に関する加盟店リスト９６０２からなるガイド（４）が生成されると共に、該生成されたガイド（４）が、上記ポイント管理センター１１００のＷｅｂサーバ装置２１１０によって、上記クライアント装置２１５０のＷｅｂブラウザに供給されると共に、上記ターゲティングガイド９６００のターゲティング情報表示領域９６３０において表示される。
【０２２２】
なお、上記のガイド（１）やガイド（２）、ガイド（３）、ガイド（４）は、周知のＨＴＭＬやＣＣＳ（Cascading Style Sheets）、ＪａｖａＳｃｒｉｐｔやＰＨＰなどのスクリプト言語を解釈するレンダリングエンジンを備えたプログラムであって、例えば、その代表的なオープンソースであるＷｅｂＫｉｔによって提供され、また、ガイド（４）の上記加盟店マップ９６０１は、前述のＧｏｏｇｌｅ Ｍａｐｓ ＡＰＩ ウェブサービスを使用した該プログラムによる地図アプリケーションとして提供される。
【０２２３】
この様に、ポイント管理センターによって、時間ポイントの発行履歴データに含まれるライフスタイル要素や属性データの項目を自在に組み合わせたセグメント条件に対応する様々なターゲティングガイドを表示させることができるＷｅｂサービスがスポンサに提供されれば、スポンサは、該Ｗｅｂサービスを活用した「広告視聴ガイド」に関する所定の登録操作において、時間ポイントを買い取るユーザを制限する一方で、該制限したユーザから買い取る時間ポイントの買価を高く設定するなどして、広告の費用対効果を完全に保障することができる。
【０２２４】
即ち、ユーザは、前述した「広告視聴ガイド」のコンテンツ視聴ガイドから、自己が保有する時間ポイントを高く買い取ってくれるスポンサを積極的に選択することになり、また、該ユーザは、該スポンサが対象とする制限されたユーザとして、該スポンサの広告コンテンツを規程どおりの視聴時間（Ｖt）視聴することになるので、該スポンサにとって、その費用対効果は、文字通り１００％となる。
【０２２５】
なお、ここまで説明したスポンサについては、広告を配信するスポンサに限定されるものではなく、時間ポイントが発行される加盟店や時間ポイントが消費される提携店がスポンサとなり、例えば、前記Ｗｅｂサービスによるターゲティングガイドによって、時間ポイントを買い取るユーザを自店に来店するユーザに制限するなどして、自店の販促企画に関連した広告コンテンツの視聴に応じて時間ポイントを買い取ることで、ユーザの更なる来店を促すことも可能であり、この場合、時間ポイントの買価を前述の電子チェックによって支払う方法以外に、自店の商品やサービスの販売価格に対する割引によって支払うこともできるので、該割引による時間ポイントの買価については、該商品やサービスの原価との関係から、比較的高く設定することができ、より魅力的な販促企画をコストを掛けずユーザにアピールすることが可能になる。
【０２２６】
以上の様に、ターゲティングガイドを採用した時間ポイントの売買による広告方法によれば、「行動ターゲティング広告」に必須のユーザ属性や行動に関するデータ取得が透明化されるので、ユーザの自発的な広告視聴が誘発され、不特定多数のユーザから、ほぼ自動的に、広告ターゲット（ユーザ層）が集約されることから、スポンサは、高コストなメディアや広告分析ツールなどを要することなく、合理的かつ費用対効果の高い「行動ターゲティング広告」を実施することができる。
【０２２７】
従って、本発明によれば、従来の販促ポイントでは実現できなかった様々な有益性が、ユーザやスポンサ及び加盟店や提携店などによって共有されることになる。
【０２２８】
最後に、図１１の概要図に記載のフロー記号（Ｆ）〜（Ｈ）で示した時間ポイント買価の支払手段に用いる電子チェックの発行及び消費方法に関する構成について説明する。
【０２２９】
［電子チェックによる時間ポイント買取額の支払処理］
上述した、スポンサのユーザに対する時間ポイント買取額（Ｂn）の支払処理については、実際の貨幣による支払を行う場合、例えば、該ユーザは銀行口座に関する情報を開示しなければならず、また、スポンサは、小額の時間ポイント買取額（Ｂn）以上のコストを掛けなければならず、極めて非合理的であり、この様な課題は、スポンサのユーザに対する時間ポイント買取額（Ｂn）の支払処理に、図１４の構成図で示した様な、電子チェックの発行と消費に関する構成を付加することによって解決することができる。
【０２３０】
図１４で示した様に、ポイント管理センター１１００の広告管理システム４１２０を構成するアプリケーションサーバ装置２１２０の電子チェック管理プログラム５１７０によって、先ず、ユーザ１２００に対する電子チェック発行処理が行われ、該電子チェック発行処理により、上述の時間ポイント買取額（Ｂp）に応じて発行される電子チェックに関するデータが、図２４の電子チェック管理データベースのレコード・レイアウトに従い、該ユーザ１２００のユーザＩＤ７０１１と該電子チェックの「発行」に対応する処理区分８１０１（発行：０１）及び、該時間ポイント買取額（Ｂp）に対応する電子チェック金額７１０２からなる電子チェックデータ６１０１として、該電子チェック管理データベース３１００に記録され、次に、スポンサ１５００に対する広告料請求処理が行われ、該広告料請求処理により、該時間ポイント買取額（Ｂp）に相応する電子チェック金額７１０２の金員が、スポンサ１５００の指定口座１５１０から該ポイント管理センター１１００の管理口座２１０９に自動振替される。
【０２３１】
なお、上記のスポンサ１５００の指定口座１５１０からポイント管理センター１１００の管理口座２１０９に自動振替する方法については、金融機関における周知の自動振替機能によって実現される。
【０２３２】
次に、上記によって発行された電子チェックは、ユーザ１２００によって、前述した本発明による第１の実施形態において説明した位置通知装置２３２０を設置した加盟店１３００や位置通知装置２４２０を設置した提携店１４００において、現金と同様に使用され、該ユーザ１２００によって使用された電子チェックの金額に相応する金員が、ポイント管理センター１１００の管理口座２１０９から該加盟店１３００の受取口座１３１０や該提携店１４００の受取口座１４１０に自動振替される。
【０２３３】
なお、上記のポイント管理センター１１００の管理口座２１０９から加盟店１３００の受取口座１３１０や提携店１４００の受取口座１４１０に自動振替する方法については、金融機関における周知の自動振替機能によって実現される。
【０２３４】
ここで、上記ユーザ１２００が電子チェックを使用する構成については、図１４で示した様に、前述した本発明による実施例１の［ユーザによる所定の消費操作］で説明した構成と同様に、専用アプリ４２１０をインストールした周知の電波検知器２２１１を備えたスマートフォン（携帯電話）などのクライアント装置２２１０を所持した該ユーザ１２００が加盟店１３００や提携店１４００に来店すると、該加盟店１３００や提携店１４００に備えられた位置通知装置２３２０または位置通知装置２４２０が該クライアント装置２２１０によって検知され、該クライアント装置２２１０の受信計測プログラム５２１０は、該位置通知装置２３２０または位置通知装置２４２０が発信する電波を検知する限り時間の計測処理を続けるため、該ユーザ１２００が該加盟店１３００や提携店１４００における商品購入や飲食またはサービス利用に対して料金を支払う時点においても該受信計測プログラム５２１０による時間の計測処理は継続しているので、該加盟店１３００や提携店１４００は、後述する［電子チェックの使用確認処理］により、該ユーザ１２００が保有する電子チェックについて、その残高を確認することができ、該電子チェックによる決済を受け付けることが可能になる。
【０２３５】
従って、この様な構成が上記の「広告視聴時間に応じて時間ポイントが買い取られる方法」に付加されれば、ユーザの利便性は、勿論のこと、加盟店や提携店にとっては、顧客の再来店が大いに期待できるので、本発明による時間ポイントの流通に参加しようと考える加盟店や提携店が増加し、時間ポイントの価値が連鎖的に向上する。
【０２３６】
［電子チェックの使用確認処理］
上述した、位置通知装置を設置した加盟店や提携店においてユーザが使用する電子チェックの有効性を確認する処理は、以下の様にして構成できる。
【０２３７】
先ず、図１４で示した様に、ユーザ１２００が、前述のクライアント装置２２１０を所持して、位置通知装置２３２０や２４２０を設置した加盟店１３００や提携店１４００に来店したときに行われる該クライアント装置と前記時間ポイント管理センター１１００とのインターネット１９００を介した通信過程において、本発明による実施例１における［ユーザによる所定の発行操作］や［ユーザによる所定の消費操作］で説明した認証コード６５１０の生成過程、即ち、認証処理プログラム５１１０による所定の位置通知装置照合処理と所定のユーザ照合処理によって該専用アプリ４２１０の識別情報４２１１と該位置通知装置２３２０の識別情報２３２１または該位置通知装置２４２０の識別情報２４２１によって構成される認証コード６５１０が生成される過程に、例えば、前記電子チェック管理プログラム５１７０によって、ユーザ管理データベース３０１０から該識別情報４２１１に基づく該ユーザ１２００のユーザＩＤ７０１１（図１５）が抽出され、該抽出されたユーザＩＤ７０１１に基づき、前記電子チェック管理データベース３１００に登録された該ユーザ１２００の前記電子チェックデータ６１０１が抽出される処理からなる、電子チェック抽出処理と、例えば、該抽出された電子チェックデータ６１０１に基づく電子チェックの残高情報と該認証コード６５１０が時間管理システム４１１０から該クライアント装置２２１０に送信され、該送信された電子チェックの残高情報が該専用アプリ４２１０の電子チェック表示プログラム５２７０によって該クライアント装置２２１０の表示画面に表示される処理からなる、電子チェック表示処理を付加することにより、該ユーザ１２００は、該加盟店１３００や提携店１４００において、自己が保有する電子チェックを使用できることを確認することができる。
【０２３８】
ここで、上記認証処理プログラム５１１０による所定の位置通知装置照合処理の過程、即ち、上記位置通知装置２３２０または２４２０の識別情報２３２１または２４２１を検索キーとして、位置通知装置データベース３０６０から該識別情報２３２１または２４２１の位置通知装置２３２０または２４２０が設置されている上記加盟店１３００または提携店１４００の加盟店ＩＤ７０２１（図１６）または提携店ＩＤ７０３１（図１７）に相当する設置先ＩＤ７０６２（図２０）が検出される過程において、該検出された加盟店ＩＤ７０２１に基づき加盟店管理データベース３０２０から加盟店属性データ７０２３（図１６）が参照され、或いは、該検出された提携店ＩＤ７０３１に基づき提携店管理データベース３０３０から提携店属性データ７０３３（図１７）が参照され、例えば、該参照された加盟店属性データ７０２３の受取口座１３１０または提携店属性データ７０３３の受取口座１４１０に、何らデータが記録されていない場合には、上記電子チェック管理プログラム５１７０によって、上述の電子チェック抽出処理で抽出された上記ユーザ１２００の電子チェックデータ６１０１に基づく電子チェックの残高情報に加え、電子チェックの使用不可情報が、上記時間管理システム４１１０から上記クライアント装置２２１０に送信され、該送信された電子チェックの残高情報と使用不可情報が上記専用アプリ４２１０の電子チェック表示プログラム５２７０によって該クライアント装置２２１０の表示画面に表示され、該ユーザ１２００は、自己の保有する電子チェックを該加盟店１３００または提携店１４００において使用できないことを確認することができる。
【０２３９】
なお、上記において、ユーザが来店した加盟店や提携店を特定するための方法として、本発明の実施例１において「ユーザによる所定の発行操作」や「ユーザによる所定の消費操作」で説明した位置通知装置を用いた構成を採用したが、これは、同じく本発明の実施例１において［「ＧＰＳ連動ガイド」の提供方法］や［ＧＰＳ機能による時間計測処理］で説明したＧＰＳ機能を用いた構成によっても実現できる。
【０２４０】
［電子チェックの利用に基づく決済通知処理］
また、電子チェックによる加盟店や提携店に対する支払の確認方法については、上述の電子チェック表示処理に以下の様な決済通知処理を付加することによって構成できる。
【０２４１】
先ず、図１４で示した様に、前記クライアント装置２２１０における電子チェック表示処理に加え、例えば、前記専用アプリ４２１０の電子チェック決済プログラム５２８０によって、電子チェック支払フォーム５２８１が提供され、前記ユーザ１２００によって、該電子チェック支払フォーム５２８１の支払金額入力フィールドに電子チェックの使用金額が入力されサブミット（データ投入）されると、該サブミットされた電子チェックの使用金額と該専用アプリ４２１０の識別情報４２１１と前記位置通知装置２３２０の識別情報２３２１または位置通知装置２４２０の識別情報２４２１が、インターネット１９００を介して、前記ポイント管理センター１１００の時間管理システム４１１０に送信されると共に、該認証処理プログラム５１１０によって、該送信された識別情報４２１１と識別情報２３２１または識別情報２４２１に基づき、本発明による実施例１における［ユーザによる所定の発行操作］や［ユーザによる所定の消費操作］で説明した所定の位置通知装置照合処理や所定のユーザ照合処理と同様の処理が行われ、次に、前記電子チェック管理プログラム５１７０によって、該送信された識別情報４２１１に基づく該所定のユーザ照合処理によって抽出されたユーザＩＤ７０１１（図１５）と、電子チェックの「消費」に対応する処理区分８０７２（消費：０９）及び、該消費の登録日時と、該送信された識別情報２３２１または識別情報２４２１に基づく該所定の位置通知照合処理によって検出された加盟店ＩＤ７０２１（図１６）または提携店ＩＤ７０３１（図１７）と、該送信された使用金額が、図２４で示した、電子チェック管理データベースのレコード・レイアウトに従って、それぞれ、該電子チェック管理データベース３１００に記録され、更に、該電子チェック管理プログラム５１７０によって、例えば、電子メールなどで、前記加盟店１３００や前記提携店１４００に対し、決済完了通知が送信される過程によって、該加盟店１３００や該提携店１４００は、ユーザ１２００による電子チェックに基づく決済処理の結果を確認することができる。
【０２４２】
なお、上記の電子チェックを利用できる消費先としては、設備系や施術系のサービス事業者、即ち、実店舗としての前記加盟店や提携店だけでなく、ネット系のサービス事業者、例えば、ネット系のゲーム事業者や音楽・映像配信事業者などを加えることができ、この様な構成は、前述の［電子チェックの使用確認処理］で説明した電子チェック表示処理を用いた前記ユーザによる確認処理を、インターネットを介した該ユーザのクライアント装置にインストールされた前記専用アプリと該ネット系のサービス事業者が用いるシステムによる確認処理、即ち、該電子チェックに関する情報の送受信に置換する構成によって容易に実現できる。
【０２４３】
以上、本発明による時間ポイントは、物理的な相対値である時間を単位として発行または消費される販促ポイントであることから、前述した様に膨大なシステムコストを負担することもなく、また、為替レートも一切影響しないため、世界共通の販促ポイントとして時間ポイントを流通させるシステム、即ち、時間ポイントのグローバル化システムを基に、例えば、時間ポイントを介した個人間のグローバル・コミュニケーション・サービス（ＧＣＳ）を提供することも可能である。
【符号の説明】
【０２４４】
１１００      ポイント管理センター
１２００      ユーザ
１３００      加盟店
１４００      提携店
１５００      スポンサ
１９００      インターネット
２１０４      通信制御装置
２１１０      Ｗｅｂサーバ装置
２１２０      アプリケーションサーバ装置
２１３０      データベース管理サーバ装置
２２１０      クライアント装置（ユーザ）
２２１１      電波検知器
２３１０      クライアント装置（加盟店）
２３２０      位置通知装置（加盟店）
２４１０      クライアント装置（提携店）
２４２０      位置通知装置（提携店）
２５１０      クライアント装置（スポンサ）
３０１０      ユーザ管理データベース
３０２０      加盟店管理データベース
３０３０      提携店管理データベース
３０４０      加盟店ガイドデータベース
３０５０      提携店ガイドデータベース
３０６０      位置通知装置データベース
３０７０      ポイント管理データベース
３０８０      スポンサ管理データベース
３０９０      コンテンツ管理データベース
３１００      電子チェック管理データベース
４１１０      時間管理システム
４１２０      広告管理システム
４１３０      電子チェック管理システム
４２１０      専用アプリ
４３１０      ＥＣシステム（ネットショップ）
４４１０      広告配信システム（ネット広告企業）
５１１０      認証処理プログラム
５１２０      条件管理プログラム
５１３０      ポイント管理プログラム
５１４０      ＧＰＳ連動ガイドプログラム
５１５０      Ｗｅｂ−ＡＰＩ対応プログラム
５１６０      広告視聴管理プログラム
５１７０      電子チェック管理プログラム
【図１】
2019215916.tif 000003
【図２】
2019215916.tif 000004
【図３】
2019215916.tif 000005
【図４】
2019215916.tif 000006
【図５】
2019215916.tif 000007
【図６】
2019215916.tif 000008
【図７】
2019215916.tif 000009
【図８】
2019215916.tif 000010
【図９】
2019215916.tif 000011
【図１０−１】
2019215916.tif 000012
【図１０−２】
2019215916.tif 000013
【図１１】
2019215916.tif 000014
【図１２】
2019215916.tif 000015
【図１３】
2019215916.tif 000016
【図１４】
2019215916.tif 000017
【図１５】
2019215916.tif 000018
【図１６】
2019215916.tif 000019
【図１７】
2019215916.tif 000020
【図１８】
2019215916.tif 000021
【図１９】
2019215916.tif 000022
【図２０】
2019215916.tif 000023
【図２１】
2019215916.tif 000024
【図２２】
2019215916.tif 000025
【図２３】
2019215916.tif 000026
【図２４】
2019215916.tif 000027
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
インターネット通信を用いたクライアント・サーバシステムによって、時間を単位とする電子的な販促ポイントを流通させるための時間ポイント管理ネットワーク・システムの制御方法として、
上記時間ポイント管理ネットワーク・システムに用いられるサーバシステムが、ユーザとポイントと時間計測場所を管理するためのデータベースを備えると共に、ユーザと時間計測場所を認証するための認証処理プログラムと、ポイントの発行数と消費数を算出するためのポイント管理プログラムと、ポイントの発行履歴と消費履歴を管理するための履歴管理プログラムと、ポイントの発行条件と消費条件を管理するための条件管理プログラムを備えた時間ポイント管理システム及び、電子チェックを管理するためのデータベースを備えると共に、プログラムと該電子チェックの発行と消費に関する処理を行う電子チェック管理プログラムを備えた電子チェック管理システムによって構成されるサーバシステムであって、
また、上記時間ポイント管理ネットワーク・システムに用いられるクライアント装置が、位置情報を取得する機能を備え、該位置情報に従って特定区画を識別すると共に、該特定区画内における所定の経過時間を計測する計測プログラムとによって構成される専用アプリがインストールされた汎用のコンピュータ機能を有するクライアント装置であって、
上記時間管理システムと上記クライアント装置とのインターネット通信によって、
（ａ）上記ユーザの上記特定区画における所定の経過時間が、上記専用アプリによって上記クライアント装置の位置が検知されながら計測される時間計測過程と、
（ｂ）上記計測された時間と同じ単位のポイントが、上記時間ポイント管理システムによって所定の発行条件に基づき発行されるポイント発行過程と、
（ｃ）上記発行された時間と同じ単位のポイントが、上記時間ポイント管理システムによって所定の消費条件に基づき消費されるポイント消費過程を含み、
上記ポイント消費過程が、上記電子チェック管理システムと上記クライアント装置とのインターネット通信によって、時間の単位と貨幣の単位との交換レートに基づき電子チェックによって買い取られることによって消費されることを特徴とする、
時間ポイント流通管理ネットワーク・システムの制御方法。
【請求項２】
前記クライアント装置が備える位置情報を取得する機能が電波検知機能であって、また、前記専用アプリを構成する計測プログラムが受信計測プログラムであって、前記ユーザの前記特定区画における所定の経過時間が、前記専用アプリによって、加盟店に設置された位置通知装置から発信される電波が該電波検知機能によって検知されながら計測されることを特徴とする、請求項１に記載の時間ポイント管理ネットワーク・システムの制御方法。
【請求項３】
前記クライアント装置が備える位置情報を取得する機能がＧＰＳ機能であって、また、前記専用アプリを構成する計測プログラムが位置計測プログラムであって、前記ユーザの前記特定区画における所定の経過時間が、前記専用アプリによって、該ＧＰＳ機能に基づく現在位置の測位データが取得されながら計測されることを特徴とする、請求項１に記載の時間ポイント管理ネットワーク・システムの制御方法。
【請求項４】
前記請求項１〜請求項３のいずれか１項に記載の時間ポイント流通管理ネットワーク・システムの制御方法であって、更に、前記ユーザの加盟店との取引が前記電子チェックによる決済処理によって行われる取引であって、
上記電子チェックによる決済処理が、上記電子チェック管理システムと上記クライアント装置とのインターネット通信を介し、前記クライアント装置による位置検知機能によって行われる決済処理であることを特徴とする、
時間ポイント流通管理ネットワーク・システムの制御方法。